(57)【要約】  本発明による輪郭補正装置は、入力映像信号を遅延させる複数個の遅延素子と、画素選択制御信号生成回路と、前記画素選択制御生成回路の出力に応じて前記遅延素子の出力を選択する画素選択回路と、前記画素選択回路により選択された画素データに重み付けを行い加減算する高域フィルタ演算回路と、前記高域フィルタ演算回路の演算結果を前記入力映像信号に加算する加算回路とを備える。前記画素選択回路は、前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換える。
2009037817.tif 000002
【特許請求の範囲】
【請求項１】
入力映像信号を遅延させる複数個の遅延素子と、
画素選択制御信号生成回路と、
前記画素選択制御生成回路の出力に応じて前記遅延素子の出力を選択する画素選択回路と、
前記画素選択回路により選択された画素データに重み付けを行い加減算する高域フィルタ演算回路と、
前記高域フィルタ演算回路の演算結果を前記入力映像信号に加算する加算回路と、
を備え、
前記画素選択回路は、
前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換える、
ことを特徴とする輪郭補正装置。
【請求項２】
入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、を備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える、
ことを特徴とする輪郭補正装置。
【請求項３】
請求項１において、
前記入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、をさらに備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える、
ことを特徴とする輪郭補正装置。
【請求項４】
請求項１において、
前記入力映像信号は、複数画面(Ａ画面，Ｂ画面)表示用の映像信号であり、
前記画素選択回路は、
複数画面表示時、Ａ画面とＢ画面との境界部における輪郭成分抽出の際、
Ａ画面内の境界画素の輪郭成分抽出時は、前記高域フィルタ演算回路に入力される画素データのうちＢ画面の画素データをＡ画面端点の画素データに置き換え、
Ｂ画面内の境界画素の輪郭成分抽出時は、前記高域フィルタ演算回路に入力される画素データのうちＡ画面の画素データをＢ画面端点の画素データに置き換える、
ことを特徴とする輪郭補正装置。
【請求項５】
請求項２において、
前記入力映像信号は、複数画面(Ａ画面，Ｂ画面)表示用の映像信号であり、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする輪郭補正装置。
【請求項６】
請求項３において、
前記入力映像信号は、複数画面(Ａ画面，Ｂ画面)表示用の映像信号であり、
前記画素選択回路は、
複数画面表示時、Ａ画面とＢ画面との境界部における輪郭成分抽出の際、
Ａ画面内の境界画素の輪郭成分抽出時は、前記高域フィルタ演算回路に入力される画素データのうちＢ画面の画素データをＡ画面端点の画素データに置き換え、
Ｂ画面内の境界画素の輪郭成分抽出時は、前記高域フィルタ演算回路に入力される画素データのうちＡ画面の画素データをＢ画面端点の画素データに置き換え、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする輪郭補正装置。
【請求項７】
入力映像信号を複数個の遅延素子により遅延させる遅延ステップと、
画素選択制御信号生成ステップと、
前記画素選択制御信号生成ステップにより得られた制御信号に応じて前記遅延素子の出力を選択する画素選択ステップと、
前記画素選択ステップにより選択された画素データに重み付けを行い加減算する高域フィルタ演算ステップと、
前記高域フィルタ演算ステップの演算結果を前記入力映像信号に加算する加算ステップと、
を備え、
前記画素選択ステップにおいては、
前記入力映像信号の水平映像有効期間と水平映像有効期間以外の期間との境界部における輪郭成分抽出の際は、前記高域フィルタ演算ステップにおいて用いられる画素データのうち水平映像有効期間以外の期間の画素データを水平映像有効期間端点の画素データに置き換える、
ことを特徴とする輪郭補正方法。
【請求項８】
入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
を備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換える、
ことを特徴とする輪郭補正方法。
【請求項９】
請求項７において、
前記入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
をさらに備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換える、
ことを特徴とする輪郭補正方法。
【請求項１０】
請求項７において、
前記入力映像信号は、複数画面(Ａ画面，Ｂ画面)表示用の映像信号であり、
前記画素選択ステップにおいては、
複数画面表示時、Ａ画面とＢ画面との境界部における輪郭成分抽出の際、
Ａ画面内の境界画素の輪郭成分抽出時は、前記高域フィルタ演算ステップにおいて用いられる画素データのうちＢ画面の画素データをＡ画面端点の画素データに置き換え、
Ｂ画面内の境界画素の輪郭成分抽出時は、前記高域フィルタ演算ステップにおいて用いられる画素データのうちＡ画面の画素データをＢ画面端点の画素データに置き換える、
ことを特徴とする輪郭補正方法。
【請求項１１】
請求項８において、
前記入力映像信号は、複数画面(Ａ画面，Ｂ画面)表示用の映像信号であり、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項１２】
請求項９において、
前記入力映像信号は、複数画面(Ａ画面，Ｂ画面)表示用の映像信号であり、
前記画素選択ステップにおいては、
複数画面表示時、Ａ画面とＢ画面との境界部における輪郭成分抽出の際、
Ａ画面内の境界画素の輪郭成分抽出時は、前記高域フィルタ演算ステップにおいて用いられる画素データのうちＢ画面の画素データをＡ画面端点の画素データに置き換え、
Ｂ画面内の境界画素の輪郭成分抽出時は、前記高域フィルタ演算ステップにおいて用いられる画素データのうちＡ画面の画素データをＢ画面端点の画素データに置き換え、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項１３】
請求項１に記載の輪郭補正装置を備える、
ことを特徴とする映像表示装置。
【請求項１４】
請求項２に記載の輪郭補正装置を備える、
ことを特徴とする映像表示装置。
【請求項１５】
請求項４に記載の輪郭補正装置を備える、
ことを特徴とする映像表示装置。
【請求項１６】
請求項５に記載の輪郭補正装置を備える、
ことを特徴とする映像表示装置。
【発明の詳細な説明】
【技術分野】
【０００１】
本発明は、映像信号の輪郭部を補正し、映像の鮮鋭度を向上させる技術に関するものである。
【背景技術】
【０００２】
近年、テレビジョン受像機，液晶ディスプレイ，プラズマディスプレイなどの映像表示装置においては、映像信号の高画質化に伴い、映像を忠実に再現するだけでなく、エッジを強調して鮮鋭感を向上させることが一般的となっている。【０００３】
また、デジタル放送が開始され、放送の多チャンネル化により、複数画面表示機能を備えた映像表示装置も多く商品化されている。【０００４】
一方、エッジ強調を行う輪郭補正技術においては、映像有効期間と映像有効期間以外の期間との境界で映像有効期間以外の期間の信号の影響を受けた輪郭補正成分が抽出され、境界部に不自然な過補正がかかる。また、複数画面表示時においても、Ａ画面とＢ画面の境界部では、Ａ画面Ｂ画面双方の相関性のない信号での輪郭補正成分が抽出され、不自然な輪郭補正がかかる。このような画面周辺部の過補正，複数画面境界部の不自然な輪郭補正を防ぐため、例えば特許文献１のように画面周辺部，複数画面境界部においては輪郭補正をOFFにする映像表示装置が提案されている。
【特許文献１】特開平11-088725号公報
【発明の開示】
【発明が解決しようとする課題】
【０００５】
しかしながら特許文献１の技術では、画面周辺(映像有効期間と映像有効期間以外の期間との境界)における映像有効期間以外の期間の信号の影響を受けた輪郭補正成分の抽出による過補正，および，複数画面の境界における相関性のない映像信号での輪郭成分抽出による不自然な補正を防ぐことはできるが、画面周辺部および複数画面の境界部に輪郭補正OFF領域が存在し、輪郭補正OFFの領域ではエッジがぼやけた鮮鋭感にかけた映像になり、輪郭補正OFF領域とON領域で見え方が異なってしまう。【０００６】
また、画面周辺または複数画面の境界においては輪郭補正の効果(ゲイン)を弱めるという方法もあるが、過補正または相関性のない不自然な補正の効果がゲイン調整で弱まるだけであり不自然な補正自身は存在する。【０００７】
画面周辺領域は、CRTのように映像有効領域より映像表示領域が狭いオーバースキャン状態で使用する場合は問題とならないが、プラズマディスプレイパネルや液晶ディスプレイパネルなどのデジタル表示装置のように映像信号の表示領域と表示部の表示領域が一致している場合は画面周辺の補正OFF領域もしくは過補正のゲイン調整を行った領域も表示されてしまう。【０００８】
本発明は前記問題点を解決するためになされたものであり、入力された映像信号の全領域に適正な輪郭補正を行える輪郭補正方法および装置を提供することを目的とする。
【課題を解決するための手段】
【０００９】
本発明による輪郭補正装置は、入力映像信号を遅延させる複数個の遅延素子と、画素選択制御信号生成回路と、前記画素選択制御生成回路の出力に応じて前記遅延素子の出力を選択する画素選択回路と、前記画素選択回路により選択された画素データに重み付けを行い加減算する高域フィルタ演算回路と、前記高域フィルタ演算回路の演算結果を前記入力映像信号に加算する加算回路とを備える。前記画素選択回路は、前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換える。【００１０】
上記輪郭補正装置によれば、画面周辺部においても水平映像有効期間以外の期間の画素データの影響を受けない適正な水平輪郭補正を入力映像信号の全領域にかけることができる。【００１１】
また、本発明による輪郭補正装置は、入力映像信号をライン遅延させる複数個のライン遅延素子と、ライン選択制御信号生成回路と、前記ライン選択制御生成回路の出力に応じて前記ライン遅延素子の出力を選択するライン選択回路と、前記ライン選択回路により選択されたラインの画素データに重み付けを行い加減算する垂直高域フィルタ演算回路と、前記垂直高域フィルタ演算回路の演算結果を前記入力映像信号に加算する加算回路とを備える。前記ライン選択回路は、前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える。【００１２】
上記輪郭補正装置によれば、画面周辺部においても垂直映像有効期間以外の期間のラインの画素データの影響を受けない適正な垂直輪郭補正を入力映像信号の全領域にかけることができる。【００１３】
さらに、上記輪郭補正装置において、前記入力映像信号は、複数画面(Ａ画面，Ｂ画面)表示用の映像信号であり、前記画素選択回路は、複数画面表示時、Ａ画面とＢ画面との境界部における輪郭成分抽出の際、Ａ画面内の境界画素の輪郭成分抽出時は、前記高域フィルタ演算回路に入力される画素データのうちＢ画面の画素データをＡ画面端点の画素データに置き換え、Ｂ画面内の境界画素の輪郭成分抽出時は、前記高域フィルタ演算回路に入力される画素データのうちＡ画面の画素データをＢ画面端点の画素データに置き換える、ことを特徴とする。【００１４】
上記輪郭補正装置によれば、Ａ画面とＢ画面の境界部においても相関性のない他画面の画素データの影響を受けない適正な水平輪郭補正をかけることができる。【００１５】
さらに、上記輪郭補正装置において、前記入力映像信号は、複数画面(Ａ画面，Ｂ画面)表示用の映像信号であり、前記ライン選択回路は、複数画面表示時、Ａ画面とＢ画面との境界ラインにおける輪郭成分抽出の際、Ａ画面内の輪郭成分抽出時は、前記垂直高域フィルタ演算回路に入力されるラインの画素データのうちＢ画面のラインの画素データをＡ画面端点のラインの画素データに置き換え、Ｂ画面内の輪郭成分抽出時は、前記垂直高域フィルタ演算回路に入力されるラインの画素データのうちＡ画面のラインの画素データをＢ画面端点のラインの画素データに置き換える、ことを特徴とする。【００１６】
上記輪郭補正装置によれば、Ａ画面とＢ画面の境界部においても相関性のない他画面の画素データの影響を受けない適正な垂直輪郭補正をかけることができる。
【発明の効果】
【００１７】
本発明によれば、画面周辺部においても水平映像有効期間以外の期間の画素データの影響を受けない適正な水平輪郭補正を入力映像信号の全領域にかけることができる。【００１８】
また、画面周辺部においても垂直映像有効期間以外の期間のラインの画素データの影響を受けない適正な垂直輪郭補正を入力映像信号の全領域にかけることができる。【００１９】
また、複数画面表示時、Ａ画面とＢ画面の境界部においても相関性のない他画面の画素データの影響を受けない適正な水平輪郭補正をかけることができる。【００２０】
また、複数画面表示時、Ａ画面とＢ画面の境界部においても相関性のない他画面の画素データの影響を受けない適正な垂直輪郭補正をかけることができる。
【図面の簡単な説明】
【００２１】
【図１】図１は、本発明の第１の実施形態による水平輪郭補正装置の構成を示すブロック図である。
【図２】図２は、図１に示した輪郭補正装置の各部より出力される信号データ，画素データを示す図である。
【図３】図３は、本発明の第２の実施形態による垂直輪郭補正装置の構成を示すブロック図である。
【図４】図４は、図３に示した輪郭補正装置の各部より出力される信号データ，ラインデータを示す図である。
【図５】図５は、本発明の第３の実施形態による水平輪郭補正装置の構成を示すブロック図である。
【図６】図６は、図５に示した輪郭補正装置の各部より出力される信号データ，画素データを示す図である。
【図７】図７は、本発明の第４の実施形態による垂直輪郭補正装置の構成を示すブロック図である。
【図８】図８は、図７に示した輪郭補正装置の各部より出力される信号データ，ラインデータを示す図である。
【符号の説明】
【００２２】
100,1100,2100,3100…映像入力端子
200…水平映像有効期間入力端子
300,1300,2400,3400…映像出力端子
400,1400,2500,3500…映像表示装置
101,102,103,104,2101,2102,2103,2104…遅延素子
110,2110…画素選択回路
120,2120…高域フィルタ演算回路
201,2201…画素選択制御信号生成回路
202,1202,2202,3202…加算回路
1200…垂直映像有効期間入力端子
1101,1102,1103,1104,3101,3012,3103,3104…ライン遅延素子
1110,3110…ライン選択回路
1120,3120…垂直高域フィルタ演算回路
1201,3201…ライン選択制御信号生成回路
2200…Ａ画面水平映像有効期間入力端子
2300…Ｂ画面水平映像有効期間入力端子
3200…Ａ画面垂直映像有効期間入力端子
3300…Ｂ画面垂直映像有効期間入力端子
【発明を実施するための最良の形態】
【００２３】
以下、本発明の実施形態について、図面を参照しながら説明する。【００２４】
(第１の実施形態)
以下、図１〜図２を用いて、第１の実施形態における水平輪郭補正装置について説明する。第１の実施形態においては、画素選択回路で、高域フィルタ演算で用いられる必要なタップ長の画素のうち水平映像有効期間以外の期間の画素を水平映像有効期間端点の画素(境界画素)におきかえることにより、画面周辺部においても水平映像有効期間以外の期間の信号の影響を受けない適正な輪郭補正を行うようにしたものである。【００２５】
図１は、第１の実施形態における輪郭補正装置の構成を示すブロック図である。図１において、映像入力端子100は、輪郭強調の対象にされている映像信号S100の入力端子である。映像出力端子300は、輪郭強調が施された映像信号S130の出力端子である。映像表示装置400は、出力端子300より出力された映像信号S130を表示する。水平映像有効期間入力端子200は、映像信号S100に対応した水平映像有効期間を示す信号S200の入力端子である。2N段(N≧1)の遅延素子101,…,102,…,103,104は、入力映像信号S100を遅延させる。ここでは、2N段の遅延素子101,…,102,…,103,104の各々は、自身への入力信号をサンプリング単位時間(以下「１Ｔ」とする。)遅延させて出力するフリップフロップである。このとき、遅延素子102がN番目の遅延素子である。画素選択制御信号生成回路201は、水平映像有効期間信号S200を入力とし、水平映像有効期間と水平映像有効期間以外の期間との境界で画素選択をコントロールする2N本の制御信号S210,S211,…,S214を出力する。【００２６】
画素選択回路110は、入力映像信号S100と2N段の遅延素子101,…,102,…,103,104のそれぞれの出力S101,…,S102,…,S103,S104との(2N＋1)個の画素データを入力とし、2N本の画素選択制御信号S210,S211,…,S213,S214に応じて画素データを選択し、(2N＋1)個の画素データS110,S111,…,S112,…,S113,S114を出力する。このとき、画素データS110の出力選択を行うのは制御信号S210，画素データS111の出力選択を行うのは制御信号S211，…，画素データS114の出力選択を行うのは制御信号S214である。画素データS112の出力選択の制御信号は存在せず、N番目の遅延素子102の出力S102がそのまま画素データS112として出力される。高域フィルタ演算回路120は、画素選択回路110の(2N＋1)個の出力S110,S111,…,S112,…,S113,S114を入力とし、フィルタ演算結果としての輪郭強調信号S120を出力する。高域フィルタ演算回路120は、例えば、
伝達関数：A(z)＝a0＋a1Z-1＋a2Z-2＋……＋a2nZ-2n
で表現できるようなフィルタ回路であり、(2N＋1)個の入力画素データS110,S111,…,S112,…,S113,S114にそれぞれ係数をかけて重み付けし、これらを加減算することで、補正したい帯域の信号を抽出し、輪郭強調対象画素であるN番目の遅延素子102の出力S102の輪郭強調信号S120を算出する。【００２７】
遅延素子の個数2Nは、高域フィルタ演算回路120で必要なタップ長で決定される。たとえば、補正したい画素データS102の前後２Ｔの画素データを用いてフィルタ演算したい場合は、高域フィルタ演算回路120で必要なタップ長は５タップであり遅延素子は４個(N＝2)となる。補正したい画素データS102の前後３Ｔの画素データを用いてフィルタ演算したい場合は、高域フィルタ演算回路120で必要なタップ長は７タップであり遅延素子は６個(N＝3)となる。【００２８】
加算回路202において輪郭強調対象画素であるN番目の遅延素子102の出力S102に輪郭強調信号S120が加算され、輪郭強調が施された映像信号S130が出力端子300より出力され、映像表示装置400にて表示される。【００２９】
次に、以上のように構成された輪郭補正装置の動作を、図２を参照しながら説明する。図２は、第１の実施形態にかかる輪郭補正装置の各部より出力される信号データ，画素データを示す図である。なお、ここでは、高域フィルタ演算回路120で必要なタップ長は５タップとし、遅延素子の個数は４個(N＝2)の場合を例にあげて説明する。【００３０】
まず、図２に示すような映像信号S100が入力端子100に入力される。映像信号S100の画素データB0〜B11が水平映像有効期間以外の期間の画素を示し、画素データY0,Y1〜YN-1,YNが水平映像有効期間の画素を示す。映像信号S100は、４段の遅延素子101〜104に順に入力されていき、それぞれ1Tずつ遅延した画素データS101,S102,S103,S104となる。映像信号S100および遅延画素データS101,S102,S103,S104の中でセンターの遅延位置にくる画素データS102が輪郭補正対象画素データである。【００３１】
このとき、映像信号S100と遅延画素データS101,S102,S103,S104がそのまま高域フィルタ演算回路120に入力された場合、水平映像有効期間の左端点画素Y0に対応した補正強調信号S120の演算にはY2,Y1,Y0,B0,B1の５タップの画素群S105，Y1に対応した補正強調信号S120の演算にはY3,Y2,Y1,Y0,B0の５タップの画素群S106が用いられる。また、水平映像有効期間の右端点画素YNに対応した補正強調信号S120の演算にはB7,B6,YN,YN-1,YN-2の５タップの画素群S107，YN-1に対応した補正強調信号S120の演算にはB6,YN,YN-1,YN-2,YN-3の５タップの画素群S108が用いられる。この場合、水平映像有効期間内端点の画素Y0,Y1,YN,YN-1に対応した補正強調信号S120の算出に、水平映像有効期間以外の期間の画素データB0,B1,B6,B7が使用されている。【００３２】
一般に、水平映像有効期間以外の期間の画素データは、黒レベルに近い、輝度の低い信号であるため、水平映像有効期間以外の期間と水平映像有効期間との境界部においては、輝度レベルが大きく変化する。このため、当該境界部が輪郭成分として抽出されて補正され、水平映像有効期間内の当該境界部の画素データの輝度レベルにシュートがかかり、映像表示装置400で見たとき、白く光るような映像となる。【００３３】
このような問題を解決するため、高域フィルタ演算回路120に入力される画素データの選択を画素選択回路110にて行う。画素選択方法について次に説明する。【００３４】
図２において、S210,S211,S213,S214は、画素選択制御信号生成回路201において水平映像有効期間信号S200から生成されて出力される４本の制御信号である。S110,S111,S112,S113,S114は、画素選択回路110が出力する画素データである。S210は、画素データS110の選択制御を行う制御信号であり、水平映像有効期間信号S200がLowとなった直後からの２Ｔ区間，すなわち，水平映像有効期間の右端端点画素YN,YN-1に対応した補正強調信号S120が演算される区間、Highを出力する。S211は、画素データS111の選択制御を行う制御信号であり、水平映像有効期間信号S200がLowとなってから１Ｔ後からの１Ｔ区間，すなわち，水平映像有効期間の右端端点画素YNに対応した補正強調信号S120が演算される区間、Highを出力する。S213は、画素データS113の選択制御を行う制御信号であり、水平映像有効期間信号S200がHighとなってから２Ｔ後からの１Ｔ区間，すなわち，水平映像有効期間の左端端点画素Y0に対応した補正強調信号S120が演算される区間、Highを出力する。S214は、画素データS114の選択制御を行う制御信号であり、水平映像有効期間信号S200がHighとなってから２Ｔ後からの２Ｔ区間，すなわち，水平映像有効期間の左端端点画素Y0,Y1に対応した補正強調信号S120が演算される区間、Highを出力する。【００３５】
S110,S111,S112,S113,S114は、画素選択回路110の出力である。画素選択回路110は、S111として、制御信号S211がLowの時はS101を選択し、Highの時はS102を選択する。また、画素選択回路110は、S110として、制御信号S210がLowの時はS100を選択し、Highの時はS111を選択する。また、画素選択回路110は、S113として、制御信号S213がLowの時はS103を選択し、Highの時はS102を選択する。また、画素選択回路110は、S114として、制御信号S214がLowの時はS104を選択し、Highの時はS113を選択する。また、画素選択回路110は、S112としてS102をそのまま出力する。【００３６】
これにより、水平映像有効期間の左端点画素Y0に対応した補正強調信号S120の演算にはY2,Y1,Y0,Y0,Y0の５タップの画素群S105´，Y1に対応した補正強調信号S120の演算にはY3,Y2,Y1,Y0,Y0の５タップの画素群S106´が用いられ、水平映像有効期間の右端点画素YNに対応した補正強調信号S120の演算にはYN,YN,YN,YN-1,YN-2の５タップの画素群S107´，YN-1に対応した補正強調信号S120の演算にはYN,YN,YN-1,YN-2,YN-3の５タップの画素群S108´が用いられることなり、水平映像有効期間以外の期間の画素データの影響を受けない補正強調信号S120を得ることができる。【００３７】
このように、水平映像有効期間の端点画素の補正強調信号S120を算出する際、高域フィルタ演算回路120に入力される画素データS110〜S114を制御信号S210〜S214に応じてコントロールすることにより、水平映像有効期間以外の期間の画素データの影響を受けない輪郭補正が実現できる。【００３８】
なお、第１の実施形態において、高域フィルタ演算回路120は、輪郭補正対象画素とその前後の画素の平均の差分をとった２次微分回路であってもよい。【００３９】
なお、第１の実施形態において、水平映像有効期間以外の期間とは、帰線消去期間(ブランキング期間)であってもよい。【００４０】
なお、第１の実施形態において、水平映像有効期間以外の期間とは、例えば16:9のアスペクト比の画面に4:3のアスペクト比の映像信号を表示する際、画面右端，左端に黒帯(いわゆるサイドパネル)が存在するが、その映像表示領域に存在する黒帯領域であってもよい。【００４１】
また、第１の実施形態においては、水平映像有効期間を示す水平映像有効期間信号S200を外部から入力端子200に入力しているが、入力映像信号S100から水平映像有効期間を検出する回路を設け、この検出回路からの水平映像有効期間信号を画素選択制御信号生成回路201に入力するようにしてもよい。【００４２】
(第２の実施形態)
以下、図３〜図４を用いて、第２の実施形態における垂直輪郭補正装置について説明する。第２の実施形態においては、ライン選択回路で、垂直高域フィルタ演算で用いられる必要なタップ長のラインのうち垂直映像有効期間以外の期間のラインの画素データを垂直映像有効領域端点ライン(境界ライン)の画素データにおきかえることにより、画面周辺部においても垂直映像有効期間以外の期間のラインの画素データの影響を受けない適正な垂直輪郭補正を行うようにしたものである。【００４３】
図３は、第２の実施形態における輪郭補正装置の構成を示すブロック図である。図３において、映像入力端子1100は、垂直輪郭強調の対象にされている映像信号S1100の入力端子である。映像出力端子1300は、垂直輪郭強調が施された映像信号S1130の出力端子である。映像表示装置1400は、出力端子1300より出力された映像信号を表示する。垂直映像有効期間入力端子1200は、映像信号S1100に対応した垂直映像有効期間を示す信号S1200の入力端子である。【００４４】
2N段(N≧1)のライン遅延素子1101,…,1102,…,1103,1104は入力映像信号S1100をライン遅延させる。ここでは、2N段のライン遅延素子1101,…,1102,…,1103,1104の各々は、自身への入力信号をライン単位(以下「１ライン(1H)」とする。)で遅延させるラインメモリである。このとき、ライン遅延素子1102がN番目のライン遅延素子である。ライン選択制御信号生成回路1201は、垂直映像有効期間信号S1200を入力とし、垂直映像有効期間のラインと垂直映像有効期間以外の期間のラインとの境界でライン選択をコントロールする2N本の制御信号S1210,S1211,…,S1213,S1214を出力する。【００４５】
ライン選択回路1110は、入力映像信号S1100と2N段のライン遅延素子1101,…,1102,…,1103,1104のそれぞれの出力S1101,…,S1102,…,S1103,S1104との(2N＋1)ラインのライン画素データを入力とし、2N本のライン選択制御信号S1210,S1211,…,S1213,S1214に応じてライン画素データを選択し、(2N＋1)ラインのライン画素データS1110,S1111,…,S1112,…,S1113,S1114を出力する。このとき、ライン画素データS1110の出力選択を行うのは制御信号S1210，ライン画素データS1111の出力選択を行うのは制御信号S1211，…，ライン画素データS1114の選択を行うのは制御信号S1214である。ライン画素データS1112の出力選択の制御信号は存在せず、N番目のライン遅延素子1102の出力S1102がそのままライン画素データS1112として出力される。垂直高域フィルタ演算回路1120は、ライン選択回路1110の(2N＋1)ラインの出力S1110,S1111,…,S1112,…,S1113,S1114を入力とし、フィルタ演算結果としての輪郭強調信号S1120を出力とする。垂直高域フィルタ演算回路1120は、例えば、ライン毎に水平方向に対応する(2N＋1)個の画素データにそれぞれ係数をかけて重み付けし、これらを加減算することで、補正したい帯域の信号を抽出し、垂直輪郭強調対象ラインであるN番目のライン遅延素子1102の出力S1102の垂直輪郭強調信号S1120を算出する。【００４６】
ライン遅延素子の個数2Nは、垂直高域フィルタ演算回路1120で必要なタップ長で決定される。たとえば、補正したいライン画素データS1102の前後２ラインのライン画素データを用いてフィルタ演算したい場合は、垂直高域フィルタ演算回路1120で必要なタップ長は５ラインでありライン遅延素子は４個(N＝2)となる。補正したいライン画素データS1102の前後３ラインのライン画素データを用いてフィルタ演算したい場合は、垂直高域フィルタ演算回路1120で必要なタップ長は７ラインでありライン遅延素子は６個(N＝3)となる。【００４７】
加算回路1202において垂直輪郭強調対象ラインであるN番目のライン遅延素子1102の出力S1102に垂直輪郭強調信号S1120が加算され、垂直輪郭強調が施された映像信号S1130が出力端子1300より出力され、映像表示装置1400にて表示される。【００４８】
次に、以上のように構成された輪郭補正装置の動作を、図４を参照しながら説明する。図４は、第２の実施形態にかかる輪郭補正装置の各部より出力される信号データ，ラインデータを示す図である。なお、ここでは、垂直高域フィルタ演算回路1120で必要なタップ長は５ラインとし、ライン遅延素子の個数は４個(N＝2)の場合を例にあげて説明する。【００４９】
まず、図４に示すような映像信号S1100が入力端子1100に入力される。映像信号S1100の構成要素B0〜B6,L0〜LNはそれぞれラインデータを意味する。映像信号S1100のラインデータB0〜B6が垂直映像有効期間以外の期間のラインを示し、ラインデータL0,L1〜LN-1,LNが垂直映像有効期間のラインを示す。映像信号S1100は、４段のライン遅延素子1101〜1104に順に入力されていき、それぞれ１ライン(1H)ずつ遅延したラインデータS1101,S1102,S1103,S1104となる。映像信号S1100および遅延ラインデータS1101,S1102,S1103,S1104の中でセンターのライン遅延位置にくるラインデータS1102が垂直輪郭補正対象ラインである。【００５０】
このとき、映像信号S1100と遅延ラインデータS1101,S1102,S1103,S1104がそのまま垂直高域フィルタ演算回路1120に入力された場合、垂直映像有効期間の画面上端点ラインL0に対応した垂直輪郭補正強調信号S1120の演算にはL2,L1,L0,B0,B1の５タップのライン群S1105，L1に対応した垂直輪郭補正強調信号S1120の演算にはL3,L2,L1,L0,B0の５タップのライン群S1106が用いられる。また、垂直映像有効期間の画面下端点ラインLNに対応した垂直輪郭補正強調信号S1120の演算にはB4,B3,LN,LN-1,LN-2の５タップのライン群S1107，LN-1に対応した垂直輪郭補正強調信号S1120の演算にはB3,LN,LN-1,LN-2,LN-3の５タップのライン群S1108が用いられる。この場合、垂直映像有効期間内端点のラインL0,L1,LN,LN-1に対応した補正強調信号S1120の算出に、垂直映像有効期間以外の期間のラインB0,B1,B3,B4が使用されている。【００５１】
一般に、垂直映像有効期間以外の期間のラインデータは、黒レベルに近い、輝度の低い信号であるため、垂直映像有効期間以外の期間のラインと垂直映像有効期間のラインとの境界部においては、輝度レベルが大きく変化する。このため、当該境界部が垂直輪郭成分として抽出されて輪郭補正され、垂直映像有効期間内の当該境界部のラインデータの輝度レベルが上がり、映像表示装置1400で見たとき、白く光るような映像となる。【００５２】
このような問題を解決するため、垂直高域フィルタ演算回路1120に入力されるラインデータの選択をライン選択回路1110にて行う。ライン選択方法について次に説明する。【００５３】
図４において、S1210,S1211,S1213,S1214は、ライン選択制御信号生成回路1201において垂直映像有効期間信号S1200から生成されて出力される４本の制御信号である。S1110,S1111,S1112,S1113,S1114は、ライン選択回路1110が出力するライン画素データである。S1210は、ライン画素データS1110の選択制御を行う制御信号であり、垂直映像有効期間信号S1200がLowとなった直後からの２ライン区間，すなわち，垂直映像有効期間の下端点ラインLN,LN-1に対応した垂直補正強調信号S1120が演算されるライン区間，Highを出力する。S1211は、ライン画素データS1111の選択制御を行う制御信号であり、垂直映像有効期間信号S1200がLowとなってから１ライン後からの１ライン区間，すなわち，垂直映像有効期間下端点ラインLNに対応した垂直補正強調信号S1120が演算される区間、Highを出力する。S1213は、ライン画素データS1113の選択制御を行う制御信号であり、垂直映像有効期間信号S1200がHighとなってから２ライン後からの１ライン区間，すなわち，垂直映像有効期間の上端点ラインL0に対応した垂直補正強調信号S1120が演算される区間、Highを出力する。S1214は、ライン画素データS1114の選択制御を行う制御信号であり、垂直映像有効期間信号S1200がHighとなってから２ライン後からの２ライン区間，すなわち，垂直映像有効期間の上端点ラインL0,L1に対応した垂直補正強調信号S1120が演算される区間、Highを出力する。【００５４】
S1110,S1111,S1112,S1113,S1114はライン選択回路1110の出力である。ライン選択回路1110は、S1111として、制御信号S1211がLowの時はS1101を選択し、Highの時はS1102を選択する。また、ライン選択回路1110は、S1110として、制御信号S1210がLowの時はS1100を選択し、Highの時はS1111を選択する。また、ライン選択回路1110は、S1113として、制御信号S1213がLowの時はS1103を選択し、Highの時はS1102を選択する。また、ライン選択回路1110は、S1114として、制御信号S1214がLowの時はS1104を選択し、Highの時はS1113を選択する。また、ライン選択回路1110は、S1112としてS1102をそのまま出力する。【００５５】
これにより、垂直映像有効期間の上端点ラインL0に対応した垂直補正強調信号S1120の演算にはL2,L1,L0,L0,L0の５タップのライン群S1105´，L1に対応した垂直補正強調信号S1120の演算にはL3,L2,L1,L0,L0の５タップのライン群S1106´が用いられ、垂直映像有効期間の下端点ラインLNに対応した補正強調信号S1120の演算にはLN,LN,LN,LN-1,LN-2の５タップのライン群S1107´，LN-1に対応した垂直補正強調信号S1120の演算にはLN,LN,LN-1,LN-2,LN-3の５タップのライン群S1108´が用いられることなり、垂直映像有効期間以外の期間のラインデータの影響を受けない垂直補正強調信号S1120を得ることができる。【００５６】
このように、垂直映像有効期間の端点ラインの垂直補正強調信号S1120を算出する際、垂直高域フィルタ演算回路1120に入力されるラインデータS1110〜S1114を制御信号S1210〜S1214に応じてコントロールすることにより、垂直映像有効期間以外の期間のラインデータの影響を受けない輪郭補正が実現できる。【００５７】
なお、第２の実施形態において、垂直高域フィルタ演算回路1120は、輪郭補正対象ラインとその前後のラインの平均の差分をとった垂直２次微分回路であってもよい。【００５８】
なお、第２の実施形態においては垂直映像有効期間以外の期間とは、垂直帰線消去期間(垂直ブランキング期間)であってもよい。【００５９】
なお、第２の実施形態において、垂直映像有効期間以外の期間とは、例えば4:3のアスペクト比の画面に16:9のアスペクト比の映像信号を表示する際、画面上端，下端に黒帯(いわゆるレターボックス)が存在するが、その映像表示領域内に存在する黒帯領域であってもよい。【００６０】
また、第２の実施形態においては、垂直映像有効期間を示す垂直映像有効期間信号S1200を外部から入力端子1200に入力しているが、入力映像信号S1100から垂直映像有効期間を検出する検出回路を設け、この検出回路からの垂直映像有効期間信号をライン選択制御信号生成回路1201に入力するようにしてもよい。【００６１】
(第３の実施形態)
以下、図５〜図６を用いて、第３の実施形態における水平輪郭補正装置について説明する。第３の実施形態においては、複数画面(たとえばＡ画面，Ｂ画面)表示時、Ａ画面内の境界画素の輪郭補正成分抽出の際、輪郭抽出用高域フィルタで用いられる必要なタップ長の画素のうちＢ画面成分の画素をＡ画面領域端点画素(境界画素)におきかえ、また、Ｂ画面内の境界画素の輪郭成分抽出の際、輪郭抽出用高域フィルタで用いられる必要なタップ長の画素のうちＡ画面成分の画素をＢ画面領域端点画素(境界画素)におきかえ、Ａ画面とＢ画面の境界部においても相関性のない他画面の映像信号の影響を受た輪郭抽出を防ぐことにより、複数画面境界を含む領域に適正な輪郭補正を行うようにしたものである。【００６２】
図５は、第３の実施形態における水平輪郭補正装置の構成を示すブロック図である。なお、ここでは、Ａ画面，Ｂ画面の２画面を表示する場合を例に挙げて説明する。【００６３】
図５において、映像入力端子2100は、輪郭強調の対象にされている２画面信号である映像信号S2100の入力端子である。映像出力端子2400は、輪郭強調が施された映像信号S2130の出力端子である。映像表示装置2500は、出力端子2400より出力された映像信号S2130を表示する。入力端子2200は、２画面映像信号S2100のうちＡ画面の水平映像有効期間を示すＡ画面水平映像有効期間信号S2200の入力端子である。入力端子2300は、２画面映像信号S2100のうちＢ画面の水平映像有効期間を示すＢ画面水平映像有効期間信号S2300の入力端子である。2N段(N≧1)の遅延素子2101,…,2102,…,2103,2104は、入力映像信号S2100を遅延させる。ここでは、2N段の遅延素子2101,…,2102,…,2103,2104の各々は、自身への入力信号をサンプリング単位時間(以下「1T」とする。)遅延させて出力するフリップフロップである。このとき、遅延素子2102がN番目の遅延素子である。画素選択制御信号生成回路2201は、Ａ画面水平映像有効期間信号S2200とＢ画面水平映像有効期間信号S2300とを入力とし、Ａ画面とＢ画面との境界で画素選択をコントロールする2N本の制御信号S2210,S2211,…,S2214を出力する。【００６４】
画素選択回路2110は、入力映像信号S2100と2N段の遅延素子2101,…,2102,…,2103,2104のそれぞれの出力S2101,…,S2102,…,S2103,S2104との(2N＋1)個の画素データを入力とし、2N本の画素選択制御信号S2210,S2211,…,S2214に応じて画素データを選択し、(2N＋1)個の画素データS2110,S2111,…,S2112,…,S2113,S2114を出力する。このとき、画素データS2110の出力選択を行うのは制御信号S2210，画素データS2111の出力選択を行うのは制御信号S2211，…，画素データS2114の出力選択を行うのは制御信号S2214である。画素データS2112の出力選択の制御信号は存在せず、N番目の遅延素子2102の出力S2102がそのまま画素データS2112として出力される。高域フィルタ演算回路2120は、画素選択回路2110の(2N＋1)個の出力S2110,S2111,…,S2112,…,S2113,S2114を入力とし、フィルタ演算結果としての輪郭強調信号S2120を出力する。高域フィルタ演算回路2120は、例えば、
伝達関数：A(z)＝a0＋a1Z-1＋a2Z-2＋……＋a2nZ-2n
で表現できるようなフィルタ回路であり、(2N＋1)個の入力画素データS2110,S2111,…,S2112,…,S2113,S2114にそれぞれ係数をかけて重み付けし、これらを加減算することで、補正したい帯域の信号を抽出し、輪郭強調対象画素であるN番目の遅延素子2102の出力S2102の輪郭強調信号S2120を算出する。【００６５】
遅延素子の個数2Nは、高域フィルタ演算回路2120で必要なタップ長で決定される。たとえば、補正したい画素データS2102の前後２Ｔの画素データを用いてフィルタ演算したい場合は、高域フィルタ演算回路2120で必要なタップ長は５タップであり遅延素子は４個(N＝2)となる。補正したい画素データS2102の前後３Ｔの画素データを用いてフィルタ演算したい場合は、高域フィルタ演算回路2120で必要なタップ長は７タップであり遅延素子は６個(N＝3)となる。【００６６】
加算回路2202において輪郭強調対象画素であるN番目の遅延素子2102の出力S2102に輪郭強調信号S2120が加算され、輪郭強調が施された映像信号S2130が出力端子2400より出力され、映像表示装置2500にて表示される。【００６７】
次に、以上のように構成された輪郭補正装置の動作を、図６を参照しながら説明する。図６は、第３の実施形態にかかる輪郭補正装置の各部より出力される信号データ，画素データを示す図である。なお、ここでは、高域フィルタ演算回路2120で必要なタップ長は５タップとし、遅延素子の個数は４個(N＝2)の場合を例にあげて説明する。【００６８】
まず、図６に示すような２画面映像信号S2100が入力端子2100に入力される。映像信号S2100の画素データA0〜ANがＡ画面の画素を示し、画素データB0〜BNがＢ画面の画素を示す。映像信号S2100は、４段の遅延素子2101〜2104に順に入力されていき、それぞれ１Ｔずつ遅延した画素データS2101,S2102,S2103,S2104となる。映像信号S2100および遅延画素データS2101,S2102,S2103,S2104の中でセンターの遅延位置にくる画素データS2102が輪郭補正対象画素データである。【００６９】
このとき、映像信号S2100と遅延画素データS2101,S2102,S2103,S2104がそのまま高域フィルタ演算回路2120に入力された場合、Ａ画面の右端点画素A0に対応した補正強調信号S2120の演算にはB1,B0,A0,A1,A2の５タップの画素群S2106，A1に対応した補正強調信号S2120の演算にはB0,A0,A1,A2,A3の５タップの画素群S2105が用いられる。また、Ｂ画面の左端点画素B0に対応した補正強調信号S2120の演算にはB2,B1,B0,A0,A1の５タップの画素群S2107，B1に対応した補正強調信号S2120の演算にはB3,B2,B1,B0,A0の５タップの画素群S2108が用いられる。この場合、Ａ画面内端点の画素A0,A1に対応した補正強調信号S2120の算出に、Ｂ画面内の画素データB0,B1が使用されている。また、Ｂ画面内端点の画素B0,B1に対応した補正強調信号S2120算出に、Ａ画面内の画素データA0,A1が使用されている。Ａ画面とＢ画面が全く相関のない映像信号の場合、相関のない映像信号間で演算された輪郭成分が抽出されて補正されるため、Ａ画面とＢ画面との境界部は不自然な輪郭補正がなされた映像となる。【００７０】
このような問題を解決するため、高域フィルタ演算回路2120に入力される画素データの選択を画素選択回路2110にて行う。画素選択方法について次に説明する。【００７１】
図６において、S2210,S2211,S2213,S2214は、画素選択制御信号生成回路2201においてＡ画面水平映像有効期間信号S2200とＢ画面水平映像有効期間信号S2300から生成されて出力される４本の制御信号である。S2110,S2111,S2112,S2113,S2114は、画素選択回路2110が出力する画素データである。S2210は、画素データS2110の選択制御を行う制御信号であり、Ａ画面水平映像有効期間信号S2200がLowとなった直後からの２Ｔ区間，すなわち，Ａ画面の右端端点画素A0,A1に対応した補正強調信号S2120が演算される区間、Highを出力する。S2211は、画素データS2111の選択制御を行う制御信号であり、Ａ画面水平映像有効期間信号S2200がLowとなってから１Ｔ後からの１Ｔ区間，すなわち，Ａ画面の右端端点画素A0に対応した補正強調信号S2120が演算される区間、Highを出力する。S2213は、画素データS2113の選択制御を行う制御信号であり、Ｂ画面水平映像有効期間信号S2300がHighとなってから２Ｔ後からの１Ｔ区間，すなわち，Ｂ画面の左端端点画素B0に対応した補正強調信号S2120が演算される区間、Highを出力する。S2214は、画素データS2114の選択制御を行う制御信号であり、Ｂ画面水平映像有効期間信号S2300がHighとなってから２Ｔ後からの２Ｔ区間，すなわち，Ｂ画面の左端端点画素B0,B1に対応した補正強調信号S2120が演算される区間、Highを出力する。【００７２】
S2110,S2111,S2112,S2113,S2114は、画素選択回路2110の出力である。画素選択回路2110は、S2111として、制御信号S2211がLowの時はS2101を選択し，Highの時はS2102を選択する。また、画素選択回路2110は、S2110として、制御信号S2210がLowの時はS2100を選択し，Highの時はS2111を選択する。また、画素選択回路2110は、S2113として、制御信号S2213がLowの時はS2103を選択し，Highの時はS2102を選択する。また、画素選択回路2110は、S2114として、制御信号S2214がLowの時はS2104を選択し，Highの時はS2113を選択する。また、画素選択回路2110は、S2112としてS2102をそのまま出力する。【００７３】
これにより、Ａ画面の右端点画素A0に対応した補正強調信号S2120の演算にはA0,A0,A0,A1,A2の５タップの画素群S2106´，A1に対応した補正強調信号S2120の演算にはA0,A0,A1,A2,A3の５タップの画素群S2105´が用いられ、Ｂ画面の左端点画素B0に対応した補正強調信号S2120の演算にはB2,B1,B0,B0,B0の５タップの画素群S2107´，B1に対応した補正強調信号S2120の演算にはB3,B2,B1,B0,B0の５タップの画素群S2108´が用いられることなり、他画面の画素データの影響を受けない補正強調信号S2120を得ることができる。【００７４】
このように、２画面の端点画素の補正強調信号S2120を算出する際、高域フィルタ演算回路2120に入力される画素データS2110〜S2114を制御信号S2210〜S2214に応じてコントロールすることにより、相関性のない他画面の画素データの影響を受けない輪郭補正が実現できる。【００７５】
なお、第３の実施形態において、高域フィルタ演算回路2120は、輪郭補正対象画素とその前後の画素の平均の差分をとった２次微分回路であってもよい。【００７６】
(第４の実施形態)
以下、図７〜図８を用いて、第４の実施形態における垂直輪郭補正装置について説明する。第４の実施形態においては、複数画面(たとえばＡ画面，Ｂ画面)表示時、Ａ画面内の境界ラインの輪郭補正成分抽出の際、輪郭抽出用高域フィルタで用いられる必要なタップ長のラインのうちＢ画面のラインをＡ画面領域端点ライン(境界ライン)におきかえ、また、Ｂ画面内の境界ラインの輪郭補正成分抽出の際、輪郭抽出用高域フィルタで用いられる必要なタップ長のラインのうちＡ画面のラインをＢ画面領域端点ライン(境界ライン)におきかえ、Ａ画面とＢ画面の境界部においても相関性のない他画面の映像信号の影響を受けた輪郭抽出を防ぐことにより、複数画面境界を含む領域に適正な垂直輪郭補正を行うようにしたものである。【００７７】
図７は、第４の実施形態における垂直輪郭補正装置の構成を示すブロック図である。なお、ここでは、Ａ画面，Ｂ画面の２画面を表示する場合を例に挙げて説明する。【００７８】
図７において、映像入力端子3100は、輪郭強調の対象にされている２画面信号である映像信号S3100の入力端子である。映像出力端子3400は、輪郭強調が施された映像信号S3130の出力端子である。映像表示装置3500は、出力端子3400より出力された映像信号を表示する。入力端子3200は、２画面映像信号S3100のうちＡ画面の垂直映像有効期間を示すＡ画面垂直映像有効期間信号S3200の入力端子である。入力端子3300は、２画面映像信号S3100のうちＢ画面の垂直映像有効期間を示すＢ画面垂直映像有効期間信号S3300の入力端子である。2N段(N≧1)のライン遅延素子3101,…,3102,…,3103,3104は入力映像信号S3100をライン遅延させる。ここでは、2N段のライン遅延素子3101,…,3102,…,3103,3104の各々は、自身への入力信号をライン単位時間(以下「１ライン(1H)」とする。)で遅延させるラインメモリである。このとき、ライン遅延素子3102がN番目のライン遅延素子である。ライン選択制御信号生成回路3201は、Ａ画面垂直映像有効期間信号S3200とＢ画面垂直映像有効期間信号S3300とを入力とし、Ａ画面とＢ画面の境界でライン選択をコントロールする2N本の制御信号S3210,S3211,…,S3213,S3214を出力する。【００７９】
ライン選択回路3110は、入力映像信号S3100と2N段のライン遅延素子3101,…,3102,…,3103,3104のそれぞれの出力S3101,…,S3102,…,S3103,S3104との(2N＋1)個のラインデータを入力とし、2N本のライン選択制御信号S3210,S3211,…,S3213,S3214に応じてラインデータを選択し、(2N＋1)個のラインデータS3110,S3111,…,S3112,…,S3113,S3114を出力する。このとき、ラインデータS3110の出力選択を行うのは制御信号S3210，ラインデータS3111の出力選択を行うのは制御信号S3211，…，ラインデータS3114の選択を行うのは制御信号S3214である。ラインデータS3112の出力選択の制御信号は存在せず、N番目のライン遅延素子3102の出力S3102がそのままラインデータS3112として出力される。垂直高域フィルタ演算回路3120は、ライン選択回路3110の(2N＋1)個の出力S3110,S3111,…,S3112,…,S3113,S3114を入力とし、フィルタ演算結果としての垂直輪郭強調信号S3120を出力とする。垂直高域フィルタ演算回路3120は、例えば、(2N＋1)個のラインデータS3110,S3111,…,S3113,S3114の水平方向に対応する画素にそれぞれ係数をかけて重み付けし、これらを加減算することで、補正したい帯域の信号を抽出し、垂直輪郭強調対象ラインであるN番目のライン遅延素子3102の出力S3102の垂直輪郭強調信号S3120を算出する。【００８０】
ライン遅延素子の個数2Nは、垂直高域フィルタ演算回路3120で必要なタップ長で決定される。例えば、補正したいラインS3102の前後２ラインのラインデータを用いてフィルタ演算したい場合は、垂直高域フィルタ演算回路3120で必要なタップ長は５タップでありライン遅延素子は４個(N＝2)となる。補正したいラインS3102の前後３ラインのラインデータを用いてフィルタ演算したい場合は、垂直高域フィルタ演算回路3120で必要なタップ長は７タップでありライン遅延素子は６個(N＝3)となる。【００８１】
加算回路3202において輪郭強調対象ラインであるN番目のライン遅延素子3102の出力S3102に垂直輪郭強調信号S3120が加算され、垂直輪郭強調が施された映像信号S3130が出力端子3400より出力され、映像表示装置3500にて表示される。【００８２】
次に、以上のように構成された輪郭補正装置の動作を、図８を参照しながら説明する。図８は、第４の実施形態にかかる輪郭補正装置の各部より出力される信号データ，画素データを示す図である。なお、ここでは、垂直高域フィルタ演算回路3120で必要なタップ長は５タップとし、遅延素子の個数は４個(N＝2)の場合を例にあげて説明する。【００８３】
まず、図８に示すような２画面映像信号S3100が入力端子3100に入力される。映像信号S3100の構成要素A0〜AN,B0〜BNはそれぞれラインデータを意味する。映像信号S3100のラインデータA0〜ANがＡ画面のラインを示し、ラインデータB0〜BNがＢ画面のラインを示す。映像信号S3100は、４段のライン遅延素子3101〜3104に順に入力されていき、それぞれ１ライン(1H)ずつ遅延したラインデータS3101,S3102,S3103,S3104となる。映像信号S3100および遅延ラインデータS3101,S3102,S3103,S3104の中でセンターのライン遅延位置にくるラインデータS3102が輪郭補正対象ラインデータである。【００８４】
このとき、映像信号S3100と遅延ラインデータS3101,S3102,S3103,S3104がそのまま垂直高域フィルタ演算回路3120に入力された場合、Ａ画面の下端点ラインA0に対応した垂直補正強調信号S3120の演算にはB1,B0,A0,A1,A2の５タップのライン群S3106，A1に対応した垂直補正強調信号S3120の演算にはB0,A0,A1,A2,A3の５タップのライン群S3105が用いられる。また、Ｂ画面の上端点ラインB0に対応した垂直補正強調信号S3120の演算にはB2,B1,B0,A0,A1の５タップの画素群S3107，B1に対応した垂直補正強調信号S3120の演算にはB3,B2,B1,B0,A0の５タップのライン群S3108が用いられる。この場合、Ａ画面内端点のラインA0,A1に対応した補正強調信号S3120の算出にＢ画面内のラインデータB0,B1が使用されている。また、Ｂ画面内端点のラインB0,B1に対応した補正強調信号S3120の算出にＡ画面内のラインデータA0,A1が使用されている。Ａ画面とＢ画面が全く相関のない映像信号の場合、相関のない映像信号間で演算された垂直輪郭成分が抽出されて補正されるため、Ａ画面とＢ画面との境界部は不自然な垂直輪郭補正がなされた映像となる。【００８５】
このような問題を解決するため、垂直高域フィルタ演算回路3120に入力されるラインデータの選択をライン選択回路3110にて行う。ライン選択方法について次に説明する。【００８６】
図８において、S3210,S3211,S3213,S3214は、ライン選択制御信号生成回路3201においてＡ画面垂直映像有効期間信号S3200とＢ画面垂直映像有効期間信号S3300とから生成されて出力される４本の制御信号である。S3110,S3111,S3112,S3113,S3114は、ライン選択回路3110が出力するラインデータである。S3210は、ラインデータS3110の選択制御を行う制御信号であり、Ａ画面垂直映像有効期間信号S3200がLowとなった直後からの２ライン区間，すなわち，Ａ画面の下端点ラインA0,A1に対応した補正強調信号S3120が演算される区間、Highを出力する。S3211は、ラインデータS3111の選択制御を行う制御信号であり、Ａ画面垂直映像有効期間信号S3200がLowとなってから１ライン後からの１ライン区間，すなわち，Ａ画面の下端点ラインA0に対応した補正強調信号S3120が演算される区間、Highを出力する。S3213は、ラインデータS3113の選択制御を行う制御信号であり、Ｂ画面垂直映像有効期間信号S3300がHighとなってから２ライン後からの１ライン区間，すなわち，Ｂ画面の上端点ラインB0に対応した補正強調信号S3120が演算される区間、Highを出力する。S3214は、ラインデータS3114の選択制御を行う制御信号であり、Ｂ画面垂直映像有効期間信号S3300がHighとなってから２ライン後からの２ライン区間，すなわち，Ｂ画面の上端点ラインB0,B1に対応した補正強調信号S3120が演算される区間、Highを出力する。【００８７】
S3110,S3111,S3112,S3113,S3114は、ライン選択回路3110の出力である。ライン選択回路3110は、S3111として、制御信号S3211がLowの時はS3101を選択し、Highの時はS3102を選択する。また、ライン選択回路3110は、S3110として、制御信号S3210がLowの時はS3100を選択し、Highの時はS3111を選択する。また、ライン選択回路3110は、S3113として、制御信号S3213がLowの時はS3103を選択し、Highの時はS3102を選択する。また、ライン選択回路3110は、S3114として、制御信号S3214がLowの時はS3104を選択し、Highの時はS3113を選択する。また、ライン選択回路3110は、S3112としてS3102をそのまま出力する。【００８８】
これにより、Ａ画面の下端点ラインA0に対応した補正強調信号S3120の演算にはA0,A0,A0,A1,A2の５タップのライン群S3106´，A1に対応した補正強調信号S3120の演算にはA0,A0,A1,A2,A3の５タップのライン群S3105´が用いられ、Ｂ画面の上端点ラインB0に対応した補正強調信号S3120の演算にはB2,B1,B0,B0,B0の５タップのライン群S3107´，B1に対応した補正強調信号S3120の演算にはB3,B2,B1,B0,B0の５タップのライン群S3108´が用いられることなり、他画面のラインデータの影響を受けない補正強調信号S3120を得ることができる。【００８９】
このように、２画面の端点ラインの補正強調信号S3120を算出する際、垂直高域フィルタ演算回路3120に入力されるラインデータS3110〜S3114を制御信号S3210〜S3214に応じてコントロールすることにより、相関性のない他画面のラインデータの影響を受けない垂直輪郭補正が実現できる。【００９０】
なお、第４の実施形態において、垂直高域フィルタ演算回路3120は、輪郭補正対象ラインとその前後のラインの平均の差分をとった垂直２次微分回路であってもよい。
【産業上の利用可能性】
【００９１】
本発明は、テレビジョン受像機，液晶ディスプレイ，プラズマディスプレイなどの映像表示装置に適用すれば有用である。
【図１】
2009037817.tif 000003
【図２】
2009037817.tif 000004
【図３】
2009037817.tif 000005
【図４】
2009037817.tif 000006
【図５】
2009037817.tif 000007
【図６】
2009037817.tif 000008
【図７】
2009037817.tif 000009
【図８】
2009037817.tif 000010
【手続補正書】
【提出日】平成21年11月19日(2009.11.19)
【手続補正１】
【補正対象書類名】明細書
【補正対象項目名】全文
【補正方法】変更
【補正の内容】
【書類名】明細書
【発明の名称】輪郭補正装置、輪郭補正方法、映像表示装置
【技術分野】
【０００１】
本発明は、映像信号の輪郭部を補正し、映像の鮮鋭度を向上させる技術に関するものである。
【背景技術】
【０００２】
近年、テレビジョン受像機，液晶ディスプレイ，プラズマディスプレイなどの映像表示装置においては、映像信号の高画質化に伴い、映像を忠実に再現するだけでなく、エッジを強調して鮮鋭感を向上させることが一般的となっている。
【０００３】
また、デジタル放送が開始され、放送の多チャンネル化により、複数画面表示機能を備えた映像表示装置も多く商品化されている。
【０００４】
一方、エッジ強調を行う輪郭補正技術においては、映像有効期間と映像有効期間以外の期間との境界で映像有効期間以外の期間の信号の影響を受けた輪郭補正成分が抽出され、境界部に不自然な過補正がかかる。また、複数画面表示時においても、Ａ画面とＢ画面の境界部では、Ａ画面Ｂ画面双方の相関性のない信号での輪郭補正成分が抽出され、不自然な輪郭補正がかかる。このような画面周辺部の過補正，複数画面境界部の不自然な輪郭補正を防ぐため、例えば特許文献１のように画面周辺部，複数画面境界部においては輪郭補正をOFFにする映像表示装置が提案されている。
【特許文献】
【０００５】
【特許文献１】特開平11-088725号公報
【発明の概要】
【発明が解決しようとする課題】
【０００６】
しかしながら特許文献１の技術では、画面周辺(映像有効期間と映像有効期間以外の期間との境界)における映像有効期間以外の期間の信号の影響を受けた輪郭補正成分の抽出による過補正，および，複数画面の境界における相関性のない映像信号での輪郭成分抽出による不自然な補正を防ぐことはできるが、画面周辺部および複数画面の境界部に輪郭補正OFF領域が存在し、輪郭補正OFFの領域ではエッジがぼやけた鮮鋭感にかけた映像になり、輪郭補正OFF領域とON領域で見え方が異なってしまう。
【０００７】
また、画面周辺または複数画面の境界においては輪郭補正の効果(ゲイン)を弱めるという方法もあるが、過補正または相関性のない不自然な補正の効果がゲイン調整で弱まるだけであり不自然な補正自身は存在する。
【０００８】
画面周辺領域は、CRTのように映像有効領域より映像表示領域が狭いオーバースキャン状態で使用する場合は問題とならないが、プラズマディスプレイパネルや液晶ディスプレイパネルなどのデジタル表示装置のように映像信号の表示領域と表示部の表示領域が一致している場合は画面周辺の補正OFF領域もしくは過補正のゲイン調整を行った領域も表示されてしまう。
【０００９】
本発明は前記問題点を解決するためになされたものであり、入力された映像信号の全領域に適正な輪郭補正を行える輪郭補正方法および装置を提供することを目的とする。
【課題を解決するための手段】
【００１０】
本発明による輪郭補正装置は、入力映像信号を遅延させる複数個の遅延素子と、画素選択制御信号生成回路と、前記画素選択制御生成回路の出力に応じて前記遅延素子の出力を選択する画素選択回路と、前記画素選択回路により選択された画素データに重み付けを行い加減算する高域フィルタ演算回路と、前記高域フィルタ演算回路の演算結果を前記入力映像信号に加算する加算回路とを備える。前記画素選択回路は、前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換える。
【００１１】
上記輪郭補正装置によれば、画面周辺部においても水平映像有効期間以外の期間の画素データの影響を受けない適正な水平輪郭補正を入力映像信号の全領域にかけることができる。
【００１２】
また、本発明による輪郭補正装置は、入力映像信号をライン遅延させる複数個のライン遅延素子と、ライン選択制御信号生成回路と、前記ライン選択制御生成回路の出力に応じて前記ライン遅延素子の出力を選択するライン選択回路と、前記ライン選択回路により選択されたラインの画素データに重み付けを行い加減算する垂直高域フィルタ演算回路と、前記垂直高域フィルタ演算回路の演算結果を前記入力映像信号に加算する加算回路とを備える。前記ライン選択回路は、前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える。
【００１３】
上記輪郭補正装置によれば、画面周辺部においても垂直映像有効期間以外の期間のラインの画素データの影響を受けない適正な垂直輪郭補正を入力映像信号の全領域にかけることができる。
【００１４】
さらに、上記輪郭補正装置において、前記入力映像信号は、複数画面(Ａ画面，Ｂ画面)表示用の映像信号であり、前記画素選択回路は、複数画面表示時、Ａ画面とＢ画面との境界部における輪郭成分抽出の際、Ａ画面内の境界画素の輪郭成分抽出時は、前記高域フィルタ演算回路に入力される画素データのうちＢ画面の画素データをＡ画面端点の画素データに置き換え、Ｂ画面内の境界画素の輪郭成分抽出時は、前記高域フィルタ演算回路に入力される画素データのうちＡ画面の画素データをＢ画面端点の画素データに置き換える、ことを特徴とする。
【００１５】
上記輪郭補正装置によれば、Ａ画面とＢ画面の境界部においても相関性のない他画面の画素データの影響を受けない適正な水平輪郭補正をかけることができる。
【００１６】
さらに、上記輪郭補正装置において、前記入力映像信号は、複数画面(Ａ画面，Ｂ画面)表示用の映像信号であり、前記ライン選択回路は、複数画面表示時、Ａ画面とＢ画面との境界ラインにおける輪郭成分抽出の際、Ａ画面内の輪郭成分抽出時は、前記垂直高域フィルタ演算回路に入力されるラインの画素データのうちＢ画面のラインの画素データをＡ画面端点のラインの画素データに置き換え、Ｂ画面内の輪郭成分抽出時は、前記垂直高域フィルタ演算回路に入力されるラインの画素データのうちＡ画面のラインの画素データをＢ画面端点のラインの画素データに置き換える、ことを特徴とする。
【００１７】
上記輪郭補正装置によれば、Ａ画面とＢ画面の境界部においても相関性のない他画面の画素データの影響を受けない適正な垂直輪郭補正をかけることができる。
【発明の効果】
【００１８】
本発明によれば、画面周辺部においても水平映像有効期間以外の期間の画素データの影響を受けない適正な水平輪郭補正を入力映像信号の全領域にかけることができる。
【００１９】
また、画面周辺部においても垂直映像有効期間以外の期間のラインの画素データの影響を受けない適正な垂直輪郭補正を入力映像信号の全領域にかけることができる。
【００２０】
また、複数画面表示時、Ａ画面とＢ画面の境界部においても相関性のない他画面の画素データの影響を受けない適正な水平輪郭補正をかけることができる。
【００２１】
また、複数画面表示時、Ａ画面とＢ画面の境界部においても相関性のない他画面の画素データの影響を受けない適正な垂直輪郭補正をかけることができる。
【図面の簡単な説明】
【００２２】
【図１】図１は、本発明の第１の実施形態による水平輪郭補正装置の構成を示すブロック図である。
【図２】図２は、図１に示した輪郭補正装置の各部より出力される信号データ，画素データを示す図である。
【図３】図３は、本発明の第２の実施形態による垂直輪郭補正装置の構成を示すブロック図である。
【図４】図４は、図３に示した輪郭補正装置の各部より出力される信号データ，ラインデータを示す図である。
【図５】図５は、本発明の第３の実施形態による水平輪郭補正装置の構成を示すブロック図である。
【図６】図６は、図５に示した輪郭補正装置の各部より出力される信号データ，画素データを示す図である。
【図７】図７は、本発明の第４の実施形態による垂直輪郭補正装置の構成を示すブロック図である。
【図８】図８は、図７に示した輪郭補正装置の各部より出力される信号データ，ラインデータを示す図である。
【発明を実施するための形態】
【００２３】
以下、本発明の実施形態について、図面を参照しながら説明する。
【００２４】
(第１の実施形態)
以下、図１〜図２を用いて、第１の実施形態における水平輪郭補正装置について説明する。第１の実施形態においては、画素選択回路で、高域フィルタ演算で用いられる必要なタップ長の画素のうち水平映像有効期間以外の期間の画素を水平映像有効期間端点の画素(境界画素)におきかえることにより、画面周辺部においても水平映像有効期間以外の期間の信号の影響を受けない適正な輪郭補正を行うようにしたものである。
【００２５】
図１は、第１の実施形態における輪郭補正装置の構成を示すブロック図である。図１において、映像入力端子100は、輪郭強調の対象にされている映像信号S100の入力端子である。映像出力端子300は、輪郭強調が施された映像信号S130の出力端子である。映像表示装置400は、出力端子300より出力された映像信号S130を表示する。水平映像有効期間入力端子200は、映像信号S100に対応した水平映像有効期間を示す信号S200の入力端子である。2N段(N≧1)の遅延素子101,…,102,…,103,104は、入力映像信号S100を遅延させる。ここでは、2N段の遅延素子101,…,102,…,103,104の各々は、自身への入力信号をサンプリング単位時間(以下「１Ｔ」とする。)遅延させて出力するフリップフロップである。このとき、遅延素子102がN番目の遅延素子である。画素選択制御信号生成回路201は、水平映像有効期間信号S200を入力とし、水平映像有効期間と水平映像有効期間以外の期間との境界で画素選択をコントロールする2N本の制御信号S210,S211,…,S214を出力する。
【００２６】
画素選択回路110は、入力映像信号S100と2N段の遅延素子101,…,102,…,103,104のそれぞれの出力S101,…,S102,…,S103,S104との(2N＋1)個の画素データを入力とし、2N本の画素選択制御信号S210,S211,…,S213,S214に応じて画素データを選択し、(2N＋1)個の画素データS110,S111,…,S112,…,S113,S114を出力する。このとき、画素データS110の出力選択を行うのは制御信号S210，画素データS111の出力選択を行うのは制御信号S211，…，画素データS114の出力選択を行うのは制御信号S214である。画素データS112の出力選択の制御信号は存在せず、N番目の遅延素子102の出力S102がそのまま画素データS112として出力される。高域フィルタ演算回路120は、画素選択回路110の(2N＋1)個の出力S110,S111,…,S112,…,S113,S114を入力とし、フィルタ演算結果としての輪郭強調信号S120を出力する。高域フィルタ演算回路120は、例えば、
伝達関数：A(z)＝a0＋a1Z-1＋a2Z-2＋……＋a2nZ-2n
で表現できるようなフィルタ回路であり、(2N＋1)個の入力画素データS110,S111,…,S112,…,S113,S114にそれぞれ係数をかけて重み付けし、これらを加減算することで、補正したい帯域の信号を抽出し、輪郭強調対象画素であるN番目の遅延素子102の出力S102の輪郭強調信号S120を算出する。
【００２７】
遅延素子の個数2Nは、高域フィルタ演算回路120で必要なタップ長で決定される。たとえば、補正したい画素データS102の前後２Ｔの画素データを用いてフィルタ演算したい場合は、高域フィルタ演算回路120で必要なタップ長は５タップであり遅延素子は４個(N＝2)となる。補正したい画素データS102の前後３Ｔの画素データを用いてフィルタ演算したい場合は、高域フィルタ演算回路120で必要なタップ長は７タップであり遅延素子は６個(N＝3)となる。
【００２８】
加算回路202において輪郭強調対象画素であるN番目の遅延素子102の出力S102に輪郭強調信号S120が加算され、輪郭強調が施された映像信号S130が出力端子300より出力され、映像表示装置400にて表示される。
【００２９】
次に、以上のように構成された輪郭補正装置の動作を、図２を参照しながら説明する。図２は、第１の実施形態にかかる輪郭補正装置の各部より出力される信号データ，画素データを示す図である。なお、ここでは、高域フィルタ演算回路120で必要なタップ長は５タップとし、遅延素子の個数は４個(N＝2)の場合を例にあげて説明する。
【００３０】
まず、図２に示すような映像信号S100が入力端子100に入力される。映像信号S100の画素データB0〜B11が水平映像有効期間以外の期間の画素を示し、画素データY0,Y1〜YN-1,YNが水平映像有効期間の画素を示す。映像信号S100は、４段の遅延素子101〜104に順に入力されていき、それぞれ1Tずつ遅延した画素データS101,S102,S103,S104となる。映像信号S100および遅延画素データS101,S102,S103,S104の中でセンターの遅延位置にくる画素データS102が輪郭補正対象画素データである。
【００３１】
このとき、映像信号S100と遅延画素データS101,S102,S103,S104がそのまま高域フィルタ演算回路120に入力された場合、水平映像有効期間の左端点画素Y0に対応した補正強調信号S120の演算にはY2,Y1,Y0,B0,B1の５タップの画素群S105，Y1に対応した補正強調信号S120の演算にはY3,Y2,Y1,Y0,B0の５タップの画素群S106が用いられる。また、水平映像有効期間の右端点画素YNに対応した補正強調信号S120の演算にはB7,B6,YN,YN-1,YN-2の５タップの画素群S107，YN-1に対応した補正強調信号S120の演算にはB6,YN,YN-1,YN-2,YN-3の５タップの画素群S108が用いられる。この場合、水平映像有効期間内端点の画素Y0,Y1,YN,YN-1に対応した補正強調信号S120の算出に、水平映像有効期間以外の期間の画素データB0,B1,B6,B7が使用されている。
【００３２】
一般に、水平映像有効期間以外の期間の画素データは、黒レベルに近い、輝度の低い信号であるため、水平映像有効期間以外の期間と水平映像有効期間との境界部においては、輝度レベルが大きく変化する。このため、当該境界部が輪郭成分として抽出されて補正され、水平映像有効期間内の当該境界部の画素データの輝度レベルにシュートがかかり、映像表示装置400で見たとき、白く光るような映像となる。
【００３３】
このような問題を解決するため、高域フィルタ演算回路120に入力される画素データの選択を画素選択回路110にて行う。画素選択方法について次に説明する。
【００３４】
図２において、S210,S211,S213,S214は、画素選択制御信号生成回路201において水平映像有効期間信号S200から生成されて出力される４本の制御信号である。S110,S111,S112,S113,S114は、画素選択回路110が出力する画素データである。S210は、画素データS110の選択制御を行う制御信号であり、水平映像有効期間信号S200がLowとなった直後からの２Ｔ区間，すなわち，水平映像有効期間の右端端点画素YN,YN-1に対応した補正強調信号S120が演算される区間、Highを出力する。S211は、画素データS111の選択制御を行う制御信号であり、水平映像有効期間信号S200がLowとなってから１Ｔ後からの１Ｔ区間，すなわち，水平映像有効期間の右端端点画素YNに対応した補正強調信号S120が演算される区間、Highを出力する。S213は、画素データS113の選択制御を行う制御信号であり、水平映像有効期間信号S200がHighとなってから２Ｔ後からの１Ｔ区間，すなわち，水平映像有効期間の左端端点画素Y0に対応した補正強調信号S120が演算される区間、Highを出力する。S214は、画素データS114の選択制御を行う制御信号であり、水平映像有効期間信号S200がHighとなってから２Ｔ後からの２Ｔ区間，すなわち，水平映像有効期間の左端端点画素Y0,Y1に対応した補正強調信号S120が演算される区間、Highを出力する。
【００３５】
S110,S111,S112,S113,S114は、画素選択回路110の出力である。画素選択回路110は、S111として、制御信号S211がLowの時はS101を選択し、Highの時はS102を選択する。また、画素選択回路110は、S110として、制御信号S210がLowの時はS100を選択し、Highの時はS111を選択する。また、画素選択回路110は、S113として、制御信号S213がLowの時はS103を選択し、Highの時はS102を選択する。また、画素選択回路110は、S114として、制御信号S214がLowの時はS104を選択し、Highの時はS113を選択する。また、画素選択回路110は、S112としてS102をそのまま出力する。
【００３６】
これにより、水平映像有効期間の左端点画素Y0に対応した補正強調信号S120の演算にはY2,Y1,Y0,Y0,Y0の５タップの画素群S105´，Y1に対応した補正強調信号S120の演算にはY3,Y2,Y1,Y0,Y0の５タップの画素群S106´が用いられ、水平映像有効期間の右端点画素YNに対応した補正強調信号S120の演算にはYN,YN,YN,YN-1,YN-2の５タップの画素群S107´，YN-1に対応した補正強調信号S120の演算にはYN,YN,YN-1,YN-2,YN-3の５タップの画素群S108´が用いられることなり、水平映像有効期間以外の期間の画素データの影響を受けない補正強調信号S120を得ることができる。
【００３７】
このように、水平映像有効期間の端点画素の補正強調信号S120を算出する際、高域フィルタ演算回路120に入力される画素データS110〜S114を制御信号S210〜S214に応じてコントロールすることにより、水平映像有効期間以外の期間の画素データの影響を受けない輪郭補正が実現できる。
【００３８】
なお、第１の実施形態において、高域フィルタ演算回路120は、輪郭補正対象画素とその前後の画素の平均の差分をとった２次微分回路であってもよい。
【００３９】
なお、第１の実施形態において、水平映像有効期間以外の期間とは、帰線消去期間(ブランキング期間)であってもよい。
【００４０】
なお、第１の実施形態において、水平映像有効期間以外の期間とは、例えば16:9のアスペクト比の画面に4:3のアスペクト比の映像信号を表示する際、画面右端，左端に黒帯(いわゆるサイドパネル)が存在するが、その映像表示領域に存在する黒帯領域であってもよい。
【００４１】
また、第１の実施形態においては、水平映像有効期間を示す水平映像有効期間信号S200を外部から入力端子200に入力しているが、入力映像信号S100から水平映像有効期間を検出する回路を設け、この検出回路からの水平映像有効期間信号を画素選択制御信号生成回路201に入力するようにしてもよい。
【００４２】
(第２の実施形態)
以下、図３〜図４を用いて、第２の実施形態における垂直輪郭補正装置について説明する。第２の実施形態においては、ライン選択回路で、垂直高域フィルタ演算で用いられる必要なタップ長のラインのうち垂直映像有効期間以外の期間のラインの画素データを垂直映像有効領域端点ライン(境界ライン)の画素データにおきかえることにより、画面周辺部においても垂直映像有効期間以外の期間のラインの画素データの影響を受けない適正な垂直輪郭補正を行うようにしたものである。
【００４３】
図３は、第２の実施形態における輪郭補正装置の構成を示すブロック図である。図３において、映像入力端子1100は、垂直輪郭強調の対象にされている映像信号S1100の入力端子である。映像出力端子1300は、垂直輪郭強調が施された映像信号S1130の出力端子である。映像表示装置1400は、出力端子1300より出力された映像信号を表示する。垂直映像有効期間入力端子1200は、映像信号S1100に対応した垂直映像有効期間を示す信号S1200の入力端子である。
【００４４】
2N段(N≧1)のライン遅延素子1101,…,1102,…,1103,1104は入力映像信号S1100をライン遅延させる。ここでは、2N段のライン遅延素子1101,…,1102,…,1103,1104の各々は、自身への入力信号をライン単位(以下「１ライン(1H)」とする。)で遅延させるラインメモリである。このとき、ライン遅延素子1102がN番目のライン遅延素子である。ライン選択制御信号生成回路1201は、垂直映像有効期間信号S1200を入力とし、垂直映像有効期間のラインと垂直映像有効期間以外の期間のラインとの境界でライン選択をコントロールする2N本の制御信号S1210,S1211,…,S1213,S1214を出力する。
【００４５】
ライン選択回路1110は、入力映像信号S1100と2N段のライン遅延素子1101,…,1102,…,1103,1104のそれぞれの出力S1101,…,S1102,…,S1103,S1104との(2N＋1)ラインのライン画素データを入力とし、2N本のライン選択制御信号S1210,S1211,…,S1213,S1214に応じてライン画素データを選択し、(2N＋1)ラインのライン画素データS1110,S1111,…,S1112,…,S1113,S1114を出力する。このとき、ライン画素データS1110の出力選択を行うのは制御信号S1210，ライン画素データS1111の出力選択を行うのは制御信号S1211，…，ライン画素データS1114の選択を行うのは制御信号S1214である。ライン画素データS1112の出力選択の制御信号は存在せず、N番目のライン遅延素子1102の出力S1102がそのままライン画素データS1112として出力される。垂直高域フィルタ演算回路1120は、ライン選択回路1110の(2N＋1)ラインの出力S1110,S1111,…,S1112,…,S1113,S1114を入力とし、フィルタ演算結果としての輪郭強調信号S1120を出力とする。垂直高域フィルタ演算回路1120は、例えば、ライン毎に水平方向に対応する(2N＋1)個の画素データにそれぞれ係数をかけて重み付けし、これらを加減算することで、補正したい帯域の信号を抽出し、垂直輪郭強調対象ラインであるN番目のライン遅延素子1102の出力S1102の垂直輪郭強調信号S1120を算出する。
【００４６】
ライン遅延素子の個数2Nは、垂直高域フィルタ演算回路1120で必要なタップ長で決定される。たとえば、補正したいライン画素データS1102の前後２ラインのライン画素データを用いてフィルタ演算したい場合は、垂直高域フィルタ演算回路1120で必要なタップ長は５ラインでありライン遅延素子は４個(N＝2)となる。補正したいライン画素データS1102の前後３ラインのライン画素データを用いてフィルタ演算したい場合は、垂直高域フィルタ演算回路1120で必要なタップ長は７ラインでありライン遅延素子は６個(N＝3)となる。
【００４７】
加算回路1202において垂直輪郭強調対象ラインであるN番目のライン遅延素子1102の出力S1102に垂直輪郭強調信号S1120が加算され、垂直輪郭強調が施された映像信号S1130が出力端子1300より出力され、映像表示装置1400にて表示される。
【００４８】
次に、以上のように構成された輪郭補正装置の動作を、図４を参照しながら説明する。図４は、第２の実施形態にかかる輪郭補正装置の各部より出力される信号データ，ラインデータを示す図である。なお、ここでは、垂直高域フィルタ演算回路1120で必要なタップ長は５ラインとし、ライン遅延素子の個数は４個(N＝2)の場合を例にあげて説明する。
【００４９】
まず、図４に示すような映像信号S1100が入力端子1100に入力される。映像信号S1100の構成要素B0〜B6,L0〜LNはそれぞれラインデータを意味する。映像信号S1100のラインデータB0〜B6が垂直映像有効期間以外の期間のラインを示し、ラインデータL0,L1〜LN-1,LNが垂直映像有効期間のラインを示す。映像信号S1100は、４段のライン遅延素子1101〜1104に順に入力されていき、それぞれ１ライン(1H)ずつ遅延したラインデータS1101,S1102,S1103,S1104となる。映像信号S1100および遅延ラインデータS1101,S1102,S1103,S1104の中でセンターのライン遅延位置にくるラインデータS1102が垂直輪郭補正対象ラインである。
【００５０】
このとき、映像信号S1100と遅延ラインデータS1101,S1102,S1103,S1104がそのまま垂直高域フィルタ演算回路1120に入力された場合、垂直映像有効期間の画面上端点ラインL0に対応した垂直輪郭補正強調信号S1120の演算にはL2,L1,L0,B0,B1の５タップのライン群S1105，L1に対応した垂直輪郭補正強調信号S1120の演算にはL3,L2,L1,L0,B0の５タップのライン群S1106が用いられる。また、垂直映像有効期間の画面下端点ラインLNに対応した垂直輪郭補正強調信号S1120の演算にはB4,B3,LN,LN-1,LN-2の５タップのライン群S1107，LN-1に対応した垂直輪郭補正強調信号S1120の演算にはB3,LN,LN-1,LN-2,LN-3の５タップのライン群S1108が用いられる。この場合、垂直映像有効期間内端点のラインL0,L1,LN,LN-1に対応した補正強調信号S1120の算出に、垂直映像有効期間以外の期間のラインB0,B1,B3,B4が使用されている。
【００５１】
一般に、垂直映像有効期間以外の期間のラインデータは、黒レベルに近い、輝度の低い信号であるため、垂直映像有効期間以外の期間のラインと垂直映像有効期間のラインとの境界部においては、輝度レベルが大きく変化する。このため、当該境界部が垂直輪郭成分として抽出されて輪郭補正され、垂直映像有効期間内の当該境界部のラインデータの輝度レベルが上がり、映像表示装置1400で見たとき、白く光るような映像となる。
【００５２】
このような問題を解決するため、垂直高域フィルタ演算回路1120に入力されるラインデータの選択をライン選択回路1110にて行う。ライン選択方法について次に説明する。
【００５３】
図４において、S1210,S1211,S1213,S1214は、ライン選択制御信号生成回路1201において垂直映像有効期間信号S1200から生成されて出力される４本の制御信号である。S1110,S1111,S1112,S1113,S1114は、ライン選択回路1110が出力するライン画素データである。S1210は、ライン画素データS1110の選択制御を行う制御信号であり、垂直映像有効期間信号S1200がLowとなった直後からの２ライン区間，すなわち，垂直映像有効期間の下端点ラインLN,LN-1に対応した垂直補正強調信号S1120が演算されるライン区間，Highを出力する。S1211は、ライン画素データS1111の選択制御を行う制御信号であり、垂直映像有効期間信号S1200がLowとなってから１ライン後からの１ライン区間，すなわち，垂直映像有効期間下端点ラインLNに対応した垂直補正強調信号S1120が演算される区間、Highを出力する。S1213は、ライン画素データS1113の選択制御を行う制御信号であり、垂直映像有効期間信号S1200がHighとなってから２ライン後からの１ライン区間，すなわち，垂直映像有効期間の上端点ラインL0に対応した垂直補正強調信号S1120が演算される区間、Highを出力する。S1214は、ライン画素データS1114の選択制御を行う制御信号であり、垂直映像有効期間信号S1200がHighとなってから２ライン後からの２ライン区間，すなわち，垂直映像有効期間の上端点ラインL0,L1に対応した垂直補正強調信号S1120が演算される区間、Highを出力する。
【００５４】
S1110,S1111,S1112,S1113,S1114はライン選択回路1110の出力である。ライン選択回路1110は、S1111として、制御信号S1211がLowの時はS1101を選択し、Highの時はS1102を選択する。また、ライン選択回路1110は、S1110として、制御信号S1210がLowの時はS1100を選択し、Highの時はS1111を選択する。また、ライン選択回路1110は、S1113として、制御信号S1213がLowの時はS1103を選択し、Highの時はS1102を選択する。また、ライン選択回路1110は、S1114として、制御信号S1214がLowの時はS1104を選択し、Highの時はS1113を選択する。また、ライン選択回路1110は、S1112としてS1102をそのまま出力する。
【００５５】
これにより、垂直映像有効期間の上端点ラインL0に対応した垂直補正強調信号S1120の演算にはL2,L1,L0,L0,L0の５タップのライン群S1105´，L1に対応した垂直補正強調信号S1120の演算にはL3,L2,L1,L0,L0の５タップのライン群S1106´が用いられ、垂直映像有効期間の下端点ラインLNに対応した補正強調信号S1120の演算にはLN,LN,LN,LN-1,LN-2の５タップのライン群S1107´，LN-1に対応した垂直補正強調信号S1120の演算にはLN,LN,LN-1,LN-2,LN-3の５タップのライン群S1108´が用いられることなり、垂直映像有効期間以外の期間のラインデータの影響を受けない垂直補正強調信号S1120を得ることができる。
【００５６】
このように、垂直映像有効期間の端点ラインの垂直補正強調信号S1120を算出する際、垂直高域フィルタ演算回路1120に入力されるラインデータS1110〜S1114を制御信号S1210〜S1214に応じてコントロールすることにより、垂直映像有効期間以外の期間のラインデータの影響を受けない輪郭補正が実現できる。
【００５７】
なお、第２の実施形態において、垂直高域フィルタ演算回路1120は、輪郭補正対象ラインとその前後のラインの平均の差分をとった垂直２次微分回路であってもよい。
【００５８】
なお、第２の実施形態においては垂直映像有効期間以外の期間とは、垂直帰線消去期間(垂直ブランキング期間)であってもよい。
【００５９】
なお、第２の実施形態において、垂直映像有効期間以外の期間とは、例えば4:3のアスペクト比の画面に16:9のアスペクト比の映像信号を表示する際、画面上端，下端に黒帯(いわゆるレターボックス)が存在するが、その映像表示領域内に存在する黒帯領域であってもよい。
【００６０】
また、第２の実施形態においては、垂直映像有効期間を示す垂直映像有効期間信号S1200を外部から入力端子1200に入力しているが、入力映像信号S1100から垂直映像有効期間を検出する検出回路を設け、この検出回路からの垂直映像有効期間信号をライン選択制御信号生成回路1201に入力するようにしてもよい。
【００６１】
(第３の実施形態)
以下、図５〜図６を用いて、第３の実施形態における水平輪郭補正装置について説明する。第３の実施形態においては、複数画面(たとえばＡ画面，Ｂ画面)表示時、Ａ画面内の境界画素の輪郭補正成分抽出の際、輪郭抽出用高域フィルタで用いられる必要なタップ長の画素のうちＢ画面成分の画素をＡ画面領域端点画素(境界画素)におきかえ、また、Ｂ画面内の境界画素の輪郭成分抽出の際、輪郭抽出用高域フィルタで用いられる必要なタップ長の画素のうちＡ画面成分の画素をＢ画面領域端点画素(境界画素)におきかえ、Ａ画面とＢ画面の境界部においても相関性のない他画面の映像信号の影響を受た輪郭抽出を防ぐことにより、複数画面境界を含む領域に適正な輪郭補正を行うようにしたものである。
【００６２】
図５は、第３の実施形態における水平輪郭補正装置の構成を示すブロック図である。なお、ここでは、Ａ画面，Ｂ画面の２画面を表示する場合を例に挙げて説明する。
【００６３】
図５において、映像入力端子2100は、輪郭強調の対象にされている２画面信号である映像信号S2100の入力端子である。映像出力端子2400は、輪郭強調が施された映像信号S2130の出力端子である。映像表示装置2500は、出力端子2400より出力された映像信号S2130を表示する。入力端子2200は、２画面映像信号S2100のうちＡ画面の水平映像有効期間を示すＡ画面水平映像有効期間信号S2200の入力端子である。入力端子2300は、２画面映像信号S2100のうちＢ画面の水平映像有効期間を示すＢ画面水平映像有効期間信号S2300の入力端子である。2N段(N≧1)の遅延素子2101,…,2102,…,2103,2104は、入力映像信号S2100を遅延させる。ここでは、2N段の遅延素子2101,…,2102,…,2103,2104の各々は、自身への入力信号をサンプリング単位時間(以下「1T」とする。)遅延させて出力するフリップフロップである。このとき、遅延素子2102がN番目の遅延素子である。画素選択制御信号生成回路2201は、Ａ画面水平映像有効期間信号S2200とＢ画面水平映像有効期間信号S2300とを入力とし、Ａ画面とＢ画面との境界で画素選択をコントロールする2N本の制御信号S2210,S2211,…,S2214を出力する。
【００６４】
画素選択回路2110は、入力映像信号S2100と2N段の遅延素子2101,…,2102,…,2103,2104のそれぞれの出力S2101,…,S2102,…,S2103,S2104との(2N＋1)個の画素データを入力とし、2N本の画素選択制御信号S2210,S2211,…,S2214に応じて画素データを選択し、(2N＋1)個の画素データS2110,S2111,…,S2112,…,S2113,S2114を出力する。このとき、画素データS2110の出力選択を行うのは制御信号S2210，画素データS2111の出力選択を行うのは制御信号S2211，…，画素データS2114の出力選択を行うのは制御信号S2214である。画素データS2112の出力選択の制御信号は存在せず、N番目の遅延素子2102の出力S2102がそのまま画素データS2112として出力される。高域フィルタ演算回路2120は、画素選択回路2110の(2N＋1)個の出力S2110,S2111,…,S2112,…,S2113,S2114を入力とし、フィルタ演算結果としての輪郭強調信号S2120を出力する。高域フィルタ演算回路2120は、例えば、
伝達関数：A(z)＝a0＋a1Z-1＋a2Z-2＋……＋a2nZ-2n
で表現できるようなフィルタ回路であり、(2N＋1)個の入力画素データS2110,S2111,…,S2112,…,S2113,S2114にそれぞれ係数をかけて重み付けし、これらを加減算することで、補正したい帯域の信号を抽出し、輪郭強調対象画素であるN番目の遅延素子2102の出力S2102の輪郭強調信号S2120を算出する。
【００６５】
遅延素子の個数2Nは、高域フィルタ演算回路2120で必要なタップ長で決定される。たとえば、補正したい画素データS2102の前後２Ｔの画素データを用いてフィルタ演算したい場合は、高域フィルタ演算回路2120で必要なタップ長は５タップであり遅延素子は４個(N＝2)となる。補正したい画素データS2102の前後３Ｔの画素データを用いてフィルタ演算したい場合は、高域フィルタ演算回路2120で必要なタップ長は７タップであり遅延素子は６個(N＝3)となる。
【００６６】
加算回路2202において輪郭強調対象画素であるN番目の遅延素子2102の出力S2102に輪郭強調信号S2120が加算され、輪郭強調が施された映像信号S2130が出力端子2400より出力され、映像表示装置2500にて表示される。
【００６７】
次に、以上のように構成された輪郭補正装置の動作を、図６を参照しながら説明する。図６は、第３の実施形態にかかる輪郭補正装置の各部より出力される信号データ，画素データを示す図である。なお、ここでは、高域フィルタ演算回路2120で必要なタップ長は５タップとし、遅延素子の個数は４個(N＝2)の場合を例にあげて説明する。
【００６８】
まず、図６に示すような２画面映像信号S2100が入力端子2100に入力される。映像信号S2100の画素データA0〜ANがＡ画面の画素を示し、画素データB0〜BNがＢ画面の画素を示す。映像信号S2100は、４段の遅延素子2101〜2104に順に入力されていき、それぞれ１Ｔずつ遅延した画素データS2101,S2102,S2103,S2104となる。映像信号S2100および遅延画素データS2101,S2102,S2103,S2104の中でセンターの遅延位置にくる画素データS2102が輪郭補正対象画素データである。
【００６９】
このとき、映像信号S2100と遅延画素データS2101,S2102,S2103,S2104がそのまま高域フィルタ演算回路2120に入力された場合、Ａ画面の右端点画素A0に対応した補正強調信号S2120の演算にはB1,B0,A0,A1,A2の５タップの画素群S2106，A1に対応した補正強調信号S2120の演算にはB0,A0,A1,A2,A3の５タップの画素群S2105が用いられる。また、Ｂ画面の左端点画素B0に対応した補正強調信号S2120の演算にはB2,B1,B0,A0,A1の５タップの画素群S2107，B1に対応した補正強調信号S2120の演算にはB3,B2,B1,B0,A0の５タップの画素群S2108が用いられる。この場合、Ａ画面内端点の画素A0,A1に対応した補正強調信号S2120の算出に、Ｂ画面内の画素データB0,B1が使用されている。また、Ｂ画面内端点の画素B0,B1に対応した補正強調信号S2120算出に、Ａ画面内の画素データA0,A1が使用されている。Ａ画面とＢ画面が全く相関のない映像信号の場合、相関のない映像信号間で演算された輪郭成分が抽出されて補正されるため、Ａ画面とＢ画面との境界部は不自然な輪郭補正がなされた映像となる。
【００７０】
このような問題を解決するため、高域フィルタ演算回路2120に入力される画素データの選択を画素選択回路2110にて行う。画素選択方法について次に説明する。
【００７１】
図６において、S2210,S2211,S2213,S2214は、画素選択制御信号生成回路2201においてＡ画面水平映像有効期間信号S2200とＢ画面水平映像有効期間信号S2300から生成されて出力される４本の制御信号である。S2110,S2111,S2112,S2113,S2114は、画素選択回路2110が出力する画素データである。S2210は、画素データS2110の選択制御を行う制御信号であり、Ａ画面水平映像有効期間信号S2200がLowとなった直後からの２Ｔ区間，すなわち，Ａ画面の右端端点画素A0,A1に対応した補正強調信号S2120が演算される区間、Highを出力する。S2211は、画素データS2111の選択制御を行う制御信号であり、Ａ画面水平映像有効期間信号S2200がLowとなってから１Ｔ後からの１Ｔ区間，すなわち，Ａ画面の右端端点画素A0に対応した補正強調信号S2120が演算される区間、Highを出力する。S2213は、画素データS2113の選択制御を行う制御信号であり、Ｂ画面水平映像有効期間信号S2300がHighとなってから２Ｔ後からの１Ｔ区間，すなわち，Ｂ画面の左端端点画素B0に対応した補正強調信号S2120が演算される区間、Highを出力する。S2214は、画素データS2114の選択制御を行う制御信号であり、Ｂ画面水平映像有効期間信号S2300がHighとなってから２Ｔ後からの２Ｔ区間，すなわち，Ｂ画面の左端端点画素B0,B1に対応した補正強調信号S2120が演算される区間、Highを出力する。
【００７２】
S2110,S2111,S2112,S2113,S2114は、画素選択回路2110の出力である。画素選択回路2110は、S2111として、制御信号S2211がLowの時はS2101を選択し，Highの時はS2102を選択する。また、画素選択回路2110は、S2110として、制御信号S2210がLowの時はS2100を選択し，Highの時はS2111を選択する。また、画素選択回路2110は、S2113として、制御信号S2213がLowの時はS2103を選択し，Highの時はS2102を選択する。また、画素選択回路2110は、S2114として、制御信号S2214がLowの時はS2104を選択し，Highの時はS2113を選択する。また、画素選択回路2110は、S2112としてS2102をそのまま出力する。
【００７３】
これにより、Ａ画面の右端点画素A0に対応した補正強調信号S2120の演算にはA0,A0,A0,A1,A2の５タップの画素群S2106´，A1に対応した補正強調信号S2120の演算にはA0,A0,A1,A2,A3の５タップの画素群S2105´が用いられ、Ｂ画面の左端点画素B0に対応した補正強調信号S2120の演算にはB2,B1,B0,B0,B0の５タップの画素群S2107´，B1に対応した補正強調信号S2120の演算にはB3,B2,B1,B0,B0の５タップの画素群S2108´が用いられることなり、他画面の画素データの影響を受けない補正強調信号S2120を得ることができる。
【００７４】
このように、２画面の端点画素の補正強調信号S2120を算出する際、高域フィルタ演算回路2120に入力される画素データS2110〜S2114を制御信号S2210〜S2214に応じてコントロールすることにより、相関性のない他画面の画素データの影響を受けない輪郭補正が実現できる。
【００７５】
なお、第３の実施形態において、高域フィルタ演算回路2120は、輪郭補正対象画素とその前後の画素の平均の差分をとった２次微分回路であってもよい。
【００７６】
(第４の実施形態)
以下、図７〜図８を用いて、第４の実施形態における垂直輪郭補正装置について説明する。第４の実施形態においては、複数画面(たとえばＡ画面，Ｂ画面)表示時、Ａ画面内の境界ラインの輪郭補正成分抽出の際、輪郭抽出用高域フィルタで用いられる必要なタップ長のラインのうちＢ画面のラインをＡ画面領域端点ライン(境界ライン)におきかえ、また、Ｂ画面内の境界ラインの輪郭補正成分抽出の際、輪郭抽出用高域フィルタで用いられる必要なタップ長のラインのうちＡ画面のラインをＢ画面領域端点ライン(境界ライン)におきかえ、Ａ画面とＢ画面の境界部においても相関性のない他画面の映像信号の影響を受けた輪郭抽出を防ぐことにより、複数画面境界を含む領域に適正な垂直輪郭補正を行うようにしたものである。
【００７７】
図７は、第４の実施形態における垂直輪郭補正装置の構成を示すブロック図である。なお、ここでは、Ａ画面，Ｂ画面の２画面を表示する場合を例に挙げて説明する。
【００７８】
図７において、映像入力端子3100は、輪郭強調の対象にされている２画面信号である映像信号S3100の入力端子である。映像出力端子3400は、輪郭強調が施された映像信号S3130の出力端子である。映像表示装置3500は、出力端子3400より出力された映像信号を表示する。入力端子3200は、２画面映像信号S3100のうちＡ画面の垂直映像有効期間を示すＡ画面垂直映像有効期間信号S3200の入力端子である。入力端子3300は、２画面映像信号S3100のうちＢ画面の垂直映像有効期間を示すＢ画面垂直映像有効期間信号S3300の入力端子である。2N段(N≧1)のライン遅延素子3101,…,3102,…,3103,3104は入力映像信号S3100をライン遅延させる。ここでは、2N段のライン遅延素子3101,…,3102,…,3103,3104の各々は、自身への入力信号をライン単位時間(以下「１ライン(1H)」とする。)で遅延させるラインメモリである。このとき、ライン遅延素子3102がN番目のライン遅延素子である。ライン選択制御信号生成回路3201は、Ａ画面垂直映像有効期間信号S3200とＢ画面垂直映像有効期間信号S3300とを入力とし、Ａ画面とＢ画面の境界でライン選択をコントロールする2N本の制御信号S3210,S3211,…,S3213,S3214を出力する。
【００７９】
ライン選択回路3110は、入力映像信号S3100と2N段のライン遅延素子3101,…,3102,…,3103,3104のそれぞれの出力S3101,…,S3102,…,S3103,S3104との(2N＋1)個のラインデータを入力とし、2N本のライン選択制御信号S3210,S3211,…,S3213,S3214に応じてラインデータを選択し、(2N＋1)個のラインデータS3110,S3111,…,S3112,…,S3113,S3114を出力する。このとき、ラインデータS3110の出力選択を行うのは制御信号S3210，ラインデータS3111の出力選択を行うのは制御信号S3211，…，ラインデータS3114の選択を行うのは制御信号S3214である。ラインデータS3112の出力選択の制御信号は存在せず、N番目のライン遅延素子3102の出力S3102がそのままラインデータS3112として出力される。垂直高域フィルタ演算回路3120は、ライン選択回路3110の(2N＋1)個の出力S3110,S3111,…,S3112,…,S3113,S3114を入力とし、フィルタ演算結果としての垂直輪郭強調信号S3120を出力とする。垂直高域フィルタ演算回路3120は、例えば、(2N＋1)個のラインデータS3110,S3111,…,S3113,S3114の水平方向に対応する画素にそれぞれ係数をかけて重み付けし、これらを加減算することで、補正したい帯域の信号を抽出し、垂直輪郭強調対象ラインであるN番目のライン遅延素子3102の出力S3102の垂直輪郭強調信号S3120を算出する。
【００８０】
ライン遅延素子の個数2Nは、垂直高域フィルタ演算回路3120で必要なタップ長で決定される。例えば、補正したいラインS3102の前後２ラインのラインデータを用いてフィルタ演算したい場合は、垂直高域フィルタ演算回路3120で必要なタップ長は５タップでありライン遅延素子は４個(N＝2)となる。補正したいラインS3102の前後３ラインのラインデータを用いてフィルタ演算したい場合は、垂直高域フィルタ演算回路3120で必要なタップ長は７タップでありライン遅延素子は６個(N＝3)となる。
【００８１】
加算回路3202において輪郭強調対象ラインであるN番目のライン遅延素子3102の出力S3102に垂直輪郭強調信号S3120が加算され、垂直輪郭強調が施された映像信号S3130が出力端子3400より出力され、映像表示装置3500にて表示される。
【００８２】
次に、以上のように構成された輪郭補正装置の動作を、図８を参照しながら説明する。図８は、第４の実施形態にかかる輪郭補正装置の各部より出力される信号データ，画素データを示す図である。なお、ここでは、垂直高域フィルタ演算回路3120で必要なタップ長は５タップとし、遅延素子の個数は４個(N＝2)の場合を例にあげて説明する。
【００８３】
まず、図８に示すような２画面映像信号S3100が入力端子3100に入力される。映像信号S3100の構成要素A0〜AN,B0〜BNはそれぞれラインデータを意味する。映像信号S3100のラインデータA0〜ANがＡ画面のラインを示し、ラインデータB0〜BNがＢ画面のラインを示す。映像信号S3100は、４段のライン遅延素子3101〜3104に順に入力されていき、それぞれ１ライン(1H)ずつ遅延したラインデータS3101,S3102,S3103,S3104となる。映像信号S3100および遅延ラインデータS3101,S3102,S3103,S3104の中でセンターのライン遅延位置にくるラインデータS3102が輪郭補正対象ラインデータである。
【００８４】
このとき、映像信号S3100と遅延ラインデータS3101,S3102,S3103,S3104がそのまま垂直高域フィルタ演算回路3120に入力された場合、Ａ画面の下端点ラインA0に対応した垂直補正強調信号S3120の演算にはB1,B0,A0,A1,A2の５タップのライン群S3106，A1に対応した垂直補正強調信号S3120の演算にはB0,A0,A1,A2,A3の５タップのライン群S3105が用いられる。また、Ｂ画面の上端点ラインB0に対応した垂直補正強調信号S3120の演算にはB2,B1,B0,A0,A1の５タップの画素群S3107，B1に対応した垂直補正強調信号S3120の演算にはB3,B2,B1,B0,A0の５タップのライン群S3108が用いられる。この場合、Ａ画面内端点のラインA0,A1に対応した補正強調信号S3120の算出にＢ画面内のラインデータB0,B1が使用されている。また、Ｂ画面内端点のラインB0,B1に対応した補正強調信号S3120の算出にＡ画面内のラインデータA0,A1が使用されている。Ａ画面とＢ画面が全く相関のない映像信号の場合、相関のない映像信号間で演算された垂直輪郭成分が抽出されて補正されるため、Ａ画面とＢ画面との境界部は不自然な垂直輪郭補正がなされた映像となる。
【００８５】
このような問題を解決するため、垂直高域フィルタ演算回路3120に入力されるラインデータの選択をライン選択回路3110にて行う。ライン選択方法について次に説明する。
【００８６】
図８において、S3210,S3211,S3213,S3214は、ライン選択制御信号生成回路3201においてＡ画面垂直映像有効期間信号S3200とＢ画面垂直映像有効期間信号S3300とから生成されて出力される４本の制御信号である。S3110,S3111,S3112,S3113,S3114は、ライン選択回路3110が出力するラインデータである。S3210は、ラインデータS3110の選択制御を行う制御信号であり、Ａ画面垂直映像有効期間信号S3200がLowとなった直後からの２ライン区間，すなわち，Ａ画面の下端点ラインA0,A1に対応した補正強調信号S3120が演算される区間、Highを出力する。S3211は、ラインデータS3111の選択制御を行う制御信号であり、Ａ画面垂直映像有効期間信号S3200がLowとなってから１ライン後からの１ライン区間，すなわち，Ａ画面の下端点ラインA0に対応した補正強調信号S3120が演算される区間、Highを出力する。S3213は、ラインデータS3113の選択制御を行う制御信号であり、Ｂ画面垂直映像有効期間信号S3300がHighとなってから２ライン後からの１ライン区間，すなわち，Ｂ画面の上端点ラインB0に対応した補正強調信号S3120が演算される区間、Highを出力する。S3214は、ラインデータS3114の選択制御を行う制御信号であり、Ｂ画面垂直映像有効期間信号S3300がHighとなってから２ライン後からの２ライン区間，すなわち，Ｂ画面の上端点ラインB0,B1に対応した補正強調信号S3120が演算される区間、Highを出力する。
【００８７】
S3110,S3111,S3112,S3113,S3114は、ライン選択回路3110の出力である。ライン選択回路3110は、S3111として、制御信号S3211がLowの時はS3101を選択し、Highの時はS3102を選択する。また、ライン選択回路3110は、S3110として、制御信号S3210がLowの時はS3100を選択し、Highの時はS3111を選択する。また、ライン選択回路3110は、S3113として、制御信号S3213がLowの時はS3103を選択し、Highの時はS3102を選択する。また、ライン選択回路3110は、S3114として、制御信号S3214がLowの時はS3104を選択し、Highの時はS3113を選択する。また、ライン選択回路3110は、S3112としてS3102をそのまま出力する。
【００８８】
これにより、Ａ画面の下端点ラインA0に対応した補正強調信号S3120の演算にはA0,A0,A0,A1,A2の５タップのライン群S3106´，A1に対応した補正強調信号S3120の演算にはA0,A0,A1,A2,A3の５タップのライン群S3105´が用いられ、Ｂ画面の上端点ラインB0に対応した補正強調信号S3120の演算にはB2,B1,B0,B0,B0の５タップのライン群S3107´，B1に対応した補正強調信号S3120の演算にはB3,B2,B1,B0,B0の５タップのライン群S3108´が用いられることなり、他画面のラインデータの影響を受けない補正強調信号S3120を得ることができる。
【００８９】
このように、２画面の端点ラインの補正強調信号S3120を算出する際、垂直高域フィルタ演算回路3120に入力されるラインデータS3110〜S3114を制御信号S3210〜S3214に応じてコントロールすることにより、相関性のない他画面のラインデータの影響を受けない垂直輪郭補正が実現できる。
【００９０】
なお、第４の実施形態において、垂直高域フィルタ演算回路3120は、輪郭補正対象ラインとその前後のラインの平均の差分をとった垂直２次微分回路であってもよい。
【産業上の利用可能性】
【００９１】
本発明は、テレビジョン受像機，液晶ディスプレイ，プラズマディスプレイなどの映像表示装置に適用すれば有用である。
【符号の説明】
【００９２】
100,1100,2100,3100…映像入力端子
200…水平映像有効期間入力端子
300,1300,2400,3400…映像出力端子
400,1400,2500,3500…映像表示装置
101,102,103,104,2101,2102,2103,2104…遅延素子
110,2110…画素選択回路
120,2120…高域フィルタ演算回路
201,2201…画素選択制御信号生成回路
202,1202,2202,3202…加算回路
1200…垂直映像有効期間入力端子
1101,1102,1103,1104,3101,3012,3103,3104…ライン遅延素子
1110,3110…ライン選択回路
1120,3120…垂直高域フィルタ演算回路
1201,3201…ライン選択制御信号生成回路
2200…Ａ画面水平映像有効期間入力端子
2300…Ｂ画面水平映像有効期間入力端子
3200…Ａ画面垂直映像有効期間入力端子
3300…Ｂ画面垂直映像有効期間入力端子
【手続補正２】
【補正対象書類名】特許請求の範囲
【補正対象項目名】全文
【補正方法】変更
【補正の内容】
【特許請求の範囲】
【請求項１】
入力映像信号を遅延させる複数個の遅延素子と、
画素選択制御信号生成回路と、
前記画素選択制御生成回路の出力に応じて前記遅延素子の出力を選択する画素選択回路と、
前記画素選択回路により選択された画素データに重み付けを行い加減算する高域フィルタ演算回路と、
前記高域フィルタ演算回路の演算結果を前記入力映像信号に加算する加算回路と、
を備え、
前記画素選択回路は、
前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換える、
ことを特徴とする輪郭補正装置。
【請求項２】
入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、を備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える、
ことを特徴とする輪郭補正装置。
【請求項３】
請求項１において、
前記入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、をさらに備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える、
ことを特徴とする輪郭補正装置。
【請求項４】
請求項１において、
前記入力映像信号は、複数画面(Ａ画面，Ｂ画面)表示用の映像信号であり、
前記画素選択回路は、
複数画面表示時、Ａ画面とＢ画面との境界部における輪郭成分抽出の際、
Ａ画面内の境界画素の輪郭成分抽出時は、前記高域フィルタ演算回路に入力される画素データのうちＢ画面の画素データをＡ画面端点の画素データに置き換え、
Ｂ画面内の境界画素の輪郭成分抽出時は、前記高域フィルタ演算回路に入力される画素データのうちＡ画面の画素データをＢ画面端点の画素データに置き換える、
ことを特徴とする輪郭補正装置。
【請求項５】
請求項２において、
前記入力映像信号は、複数画面(Ａ画面，Ｂ画面)表示用の映像信号であり、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする輪郭補正装置。
【請求項６】
請求項３において、
前記入力映像信号は、複数画面(Ａ画面，Ｂ画面)表示用の映像信号であり、
前記画素選択回路は、
複数画面表示時、Ａ画面とＢ画面との境界部における輪郭成分抽出の際、
Ａ画面内の境界画素の輪郭成分抽出時は、前記高域フィルタ演算回路に入力される画素データのうちＢ画面の画素データをＡ画面端点の画素データに置き換え、
Ｂ画面内の境界画素の輪郭成分抽出時は、前記高域フィルタ演算回路に入力される画素データのうちＡ画面の画素データをＢ画面端点の画素データに置き換え、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする輪郭補正装置。
【請求項７】
入力映像信号を複数個の遅延素子により遅延させる遅延ステップと、
画素選択制御信号生成ステップと、
前記画素選択制御信号生成ステップにより得られた制御信号に応じて前記遅延素子の出力を選択する画素選択ステップと、
前記画素選択ステップにより選択された画素データに重み付けを行い加減算する高域フィルタ演算ステップと、
前記高域フィルタ演算ステップの演算結果を前記入力映像信号に加算する加算ステップと、
を備え、
前記画素選択ステップにおいては、
前記入力映像信号の水平映像有効期間と水平映像有効期間以外の期間との境界部における輪郭成分抽出の際は、前記高域フィルタ演算ステップにおいて用いられる画素データのうち水平映像有効期間以外の期間の画素データを水平映像有効期間端点の画素データに置き換える、
ことを特徴とする輪郭補正方法。
【請求項８】
入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
を備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換える、
ことを特徴とする輪郭補正方法。
【請求項９】
請求項７において、
前記入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
をさらに備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換える、
ことを特徴とする輪郭補正方法。
【請求項１０】
請求項７において、
前記入力映像信号は、複数画面(Ａ画面，Ｂ画面)表示用の映像信号であり、
前記画素選択ステップにおいては、
複数画面表示時、Ａ画面とＢ画面との境界部における輪郭成分抽出の際、
Ａ画面内の境界画素の輪郭成分抽出時は、前記高域フィルタ演算ステップにおいて用いられる画素データのうちＢ画面の画素データをＡ画面端点の画素データに置き換え、
Ｂ画面内の境界画素の輪郭成分抽出時は、前記高域フィルタ演算ステップにおいて用いられる画素データのうちＡ画面の画素データをＢ画面端点の画素データに置き換える、
ことを特徴とする輪郭補正方法。
【請求項１１】
請求項８において、
前記入力映像信号は、複数画面(Ａ画面，Ｂ画面)表示用の映像信号であり、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項１２】
請求項９において、
前記入力映像信号は、複数画面(Ａ画面，Ｂ画面)表示用の映像信号であり、
前記画素選択ステップにおいては、
複数画面表示時、Ａ画面とＢ画面との境界部における輪郭成分抽出の際、
Ａ画面内の境界画素の輪郭成分抽出時は、前記高域フィルタ演算ステップにおいて用いられる画素データのうちＢ画面の画素データをＡ画面端点の画素データに置き換え、
Ｂ画面内の境界画素の輪郭成分抽出時は、前記高域フィルタ演算ステップにおいて用いられる画素データのうちＡ画面の画素データをＢ画面端点の画素データに置き換え、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項１３】
請求項１に記載の輪郭補正装置を備える、
ことを特徴とする映像表示装置。
【請求項１４】
請求項２に記載の輪郭補正装置を備える、
ことを特徴とする映像表示装置。
【請求項１５】
請求項４に記載の輪郭補正装置を備える、
ことを特徴とする映像表示装置。
【請求項１６】
請求項５に記載の輪郭補正装置を備える、
ことを特徴とする映像表示装置。
【手続補正３】
【補正対象書類名】図面
【補正対象項目名】全図
【補正方法】変更
【補正の内容】
【図１】
2009037817.tif 000011
【図２】
2009037817.tif 000012
【図３】
2009037817.tif 000013
【図４】
2009037817.tif 000014
【図５】
2009037817.tif 000015
【図６】
2009037817.tif 000016
【図７】
2009037817.tif 000017
【図８】
2009037817.tif 000018
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
入力映像信号を遅延させる複数個の遅延素子と、
画素選択制御信号生成回路と、
前記画素選択制御生成回路の出力に応じて前記遅延素子の出力を選択する画素選択回路と、
前記画素選択回路により選択された画素データに重み付けを行い加減算する高域フィルタ演算回路と、
前記高域フィルタ演算回路の演算結果を前記入力映像信号に加算する加算回路と、
を備え、
前記画素選択回路は、
前記入力映像信号の水平映像有効期間と水平映像有効期間以外の期間との境界部における輪郭成分抽出の際は、前記高域フィルタ演算回路に入力される画素データのうち水平映像有効期間以外の期間の画素データを水平映像有効期間端点の画素データに置き換え、
前記入力映像信号は、複数画面(Ａ画面，Ｂ画面)表示用の映像信号であり、
前記画素選択回路は、
複数画面表示時、Ａ画面とＢ画面との境界部における輪郭成分抽出の際、
Ａ画面内の境界画素の輪郭成分抽出時は、前記高域フィルタ演算回路に入力される画素データのうちＢ画面の画素データをＡ画面端点の画素データに置き換え、
Ｂ画面内の境界画素の輪郭成分抽出時は、前記高域フィルタ演算回路に入力される画素データのうちＡ画面の画素データをＢ画面端点の画素データに置き換える、
ことを特徴とする輪郭補正装置。
【請求項２】
前記入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、をさらに備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換え、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする請求項１に記載の輪郭補正装置。
【請求項３】
請求項１に記載の輪郭補正装置を備える、
ことを特徴とする映像表示装置。
【請求項４】
入力映像信号をライン遅延させる複数個のライン遅延素子と、
ライン選択制御信号生成回路と、
前記ライン選択制御生成回路の出力に応じて前記ライン遅延素子の出力を選択するライン選択回路と、
前記ライン選択回路により選択されたラインの画素データに重み付けを行い加減算する垂直高域フィルタ演算回路と、
前記垂直高域フィルタ演算回路の演算結果を前記入力映像信号に加算する加算回路と、を備え、
前記ライン選択回路は、
前記入力映像信号の垂直映像有効期間と垂直映像有効期間以外の期間との境界ラインにおける輪郭成分抽出の際は、前記垂直高域フィルタ演算回路に入力されるラインの画素データのうち垂直映像有効期間以外の期間のラインの画素データを垂直映像有効期間端点ラインの画素データに置き換える、
ことを特徴とする輪郭補正装置。
【請求項５】
請求項４において、
前記入力映像信号は、複数画面(Ａ画面，Ｂ画面)表示用の映像信号であり、
前記ライン選択回路は、
複数画面表示時、Ａ画面とＢ画面との境界ラインにおける輪郭成分抽出の際、
Ａ画面内の輪郭成分抽出時は、前記垂直高域フィルタ演算回路に入力されるラインの画素データのうちＢ画面のラインの画素データをＡ画面端点のラインの画素データに置き換え、
Ｂ画面内の輪郭成分抽出時は、前記垂直高域フィルタ演算回路に入力されるラインの画素データのうちＡ画面のラインの画素データをＢ画面端点のラインの画素データに置き換える、
ことを特徴とする輪郭補正装置。
【請求項６】
請求項４に記載の輪郭補正装置を備える、
ことを特徴とする映像表示装置。
【請求項７】
入力映像信号を複数個の遅延素子により遅延させる遅延ステップと、
画素選択制御信号生成ステップと、
前記画素選択制御信号生成ステップにより得られた制御信号に応じて前記遅延素子の出力を選択する画素選択ステップと、
前記画素選択ステップにより選択された画素データに重み付けを行い加減算する高域フィルタ演算ステップと、
前記高域フィルタ演算ステップの演算結果を前記入力映像信号に加算する加算ステップと、
を備え、
前記画素選択ステップにおいては、
前記入力映像信号の水平映像有効期間と水平映像有効期間以外の期間との境界部における輪郭成分抽出の際は、前記高域フィルタ演算ステップにおいて用いられる画素データのうち水平映像有効期間以外の期間の画素データを水平映像有効期間端点の画素データに置き換え、
前記入力映像信号は、複数画面(Ａ画面，Ｂ画面)表示用の映像信号であり、
前記画素選択ステップにおいては、
複数画面表示時、Ａ画面とＢ画面との境界部における輪郭成分抽出の際、
Ａ画面内の境界画素の輪郭成分抽出時は、前記高域フィルタ演算ステップにおいて用いられる画素データのうちＢ画面の画素データをＡ画面端点の画素データに置き換え、
Ｂ画面内の境界画素の輪郭成分抽出時は、前記高域フィルタ演算ステップにおいて用いられる画素データのうちＡ画面の画素データをＢ画面端点の画素データに置き換える、
ことを特徴とする輪郭補正方法。
【請求項８】
前記入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
をさらに備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換え、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項９】
入力映像信号を複数個のライン遅延素子により遅延させるライン遅延ステップと、
ライン選択制御信号生成ステップと、
前記ライン選択制御信号生成ステップにより得られた制御信号に応じて前記ライン遅延素子の出力を選択するライン選択ステップと、
前記ライン選択ステップにより選択されたラインの画素データに重み付けを行い加減算する垂直高域フィルタ演算ステップと、
前記垂直高域フィルタ演算ステップの演算結果を前記入力映像信号に加算する加算ステップと、
を備え、
前記ライン選択ステップにおいては、
前記入力映像信号の垂直映像有効期間と垂直映像有効期間以外の期間との境界ラインにおける輪郭成分抽出の際は、前記垂直高域フィルタ演算ステップにおいて用いられるラインの画素データのうち垂直映像有効期間以外の期間のラインの画素データを垂直映像有効期間端点ラインの画素データに置き換える、
ことを特徴とする輪郭補正方法。
【請求項１０】
請求項９において、
前記入力映像信号は、複数画面(Ａ画面，Ｂ画面)表示用の映像信号であり、
前記ライン選択ステップにおいては、
複数画面表示時、Ａ画面とＢ画面との境界ラインにおける輪郭成分抽出の際、
Ａ画面内の輪郭成分抽出時は、前記垂直高域フィルタ演算ステップにおいて用いられるラインの画素データのうちＢ画面のラインの画素データをＡ画面端点のラインの画素データに置き換え、
Ｂ画面内の輪郭成分抽出時は、前記垂直高域フィルタ演算ステップにおいて用いられるラインの画素データのうちＡ画面のラインの画素データをＢ画面端点のラインの画素データに置き換える、
ことを特徴とする輪郭補正方法。
【請求項１１】
請求項５に記載の輪郭補正装置を備える、
ことを特徴とする映像表示装置。
【国際調査報告】
2009037817.tif 000019
2009037817.tif 000020
2009037817.tif 000021
2009037817.tif 000022